(57)【特許請求の範囲】
【請求項１】
ワイヤレス通信の方法であって、
ユーザ機器（ＵＥ）によって、最適化ハンドオーバプロセスの一部として事前登録手順中に１つまたは複数の障害インスタンスを検出することと、
前記ＵＥによって、前記検出された１つまたは複数の障害インスタンスに基づいて、１つまたは複数の事前登録再試行プロセスを実行することと、
を備え、
前記事前登録手順は１つまたは複数のチェックポイントを含み、
前記実行することは、前記障害が検出された前記１つまたは複数のチェックポイントの後のポイントから、前記検出された障害に関連するタイマーの終了後に、前記事前登録手順の一部分を実行することを備える、
方法。
【請求項２】
前記最適化ハンドオーバプロセスは、ＬＴＥ無線接続を介した発展型高速パケットデータ（ｅＨＲＰＤ）ネットワークへの前記ＵＥの事前登録を備える、請求項１に記載の方法。
【請求項３】
前記検出することは、永続的ＬＴＥ接続障害を特定することをさらに備え、
１つまたは複数の事前登録再試行プロセスを前記実行することは、新しい事前登録通知を受信したときに事前登録を再試行することを備える、請求項１に記載の方法。
【請求項４】
前記永続的ＬＴＥ接続障害を特定することは、
前記ＵＥが前記ＬＴＥネットワークから切り離されていることを検出すること、または
前記ＵＥがＬＴＥサービスの範囲外にあることを検出することのうちの少なくとも１つを備える、請求項３に記載の方法。
【請求項５】
前記１つまたは複数の障害インスタンスのうちの１つのインスタンスは、一時的ＬＴＥ接続障害を備え、
前記検出することは、前記一時的ＬＴＥ接続障害がセッション交渉に関する信号の送信中に発生しているかどうかを決定することをさらに備える、請求項１に記載の方法。
【請求項６】
前記実行することは、前記一時的ＬＴＥ接続障害がセッション交渉に関するシグナリングの送信中に生じていると決定すると、セッション交渉バックオフタイマーの終了後、前記事前登録プロセスを再試行することをさらに備える、請求項５に記載の方法。
【請求項７】
異なるＬＴＥセルに前記ＵＥが移動していると決定することと、
前記セッション交渉バックオフタイマーをリセットすることと、
前記セッション交渉バックオフタイマーに関連するカウンタをリセットすることと、
前記事前登録手順を再試行することと、をさらに備える、請求項６に記載の方法。
【請求項８】
前記実行することは、セッション交渉バックオフタイマーの終了後、前記事前登録プロセスを再試行することをさらに備え、禁止時間が、前記一時的ＬＴＥ接続障害の前記検出に伴って指示されているときに前記セッション交渉バックオフタイマーの値に使用される、請求項５に記載の方法。
【請求項９】
前記１つまたは複数の障害インスタンスは、セッション交渉障害、データ呼を立ち上げるときの仮想接続障害、またはリンク制御プロトコル（ＬＣＰ）障害のうちの少なくとも１つを備え、
前記実行することは、前記検出された１つまたは複数の障害インスタンスに関連するバックオフタイマーの終了に基づき、前記事前登録手順を再試行することを備える、請求項１に記載の方法。
【請求項１０】
前記ＵＥがカラーコードの変化を検出していると決定することと、
前記検出された１つまたは複数の障害インスタンスに関連する再試行バックオフタイマーをリセットすることと、
前記再試行バックオフタイマーに関連するカウンタをリセットすることと、
前記事前登録手順を再試行することと、をさらに備える、請求項９に記載の方法。
【請求項１１】
前記１つまたは複数の障害インスタンスのうちの１つのインスタンスは、パケットデータネットワーク（ＰＤＮ）接続障害を備え、
前記検出することは、前記ＰＤＮ接続障害が明確なネットワーク拒否に起因するかどうか、また前記ＵＥがｅＨＲＰＤネットワークにハンドオーバしているかどうかを決定することをさらに備え、
前記実行することは、ＰＤＮ接続バックオフタイマーの終了に基づき、また前記ＵＥが前記ｅＨＲＰＤサポート対象ネットワークにハンドオーバしていないと決定すると、ＰＤＮ接続確立手順を再試行することをさらに備え、または
前記実行することは、前記ＵＥが前記ｅＨＲＰＤネットワークにハンドオーバしていると前記決定すると、また前記ＰＤＮ接続障害が前記明確なネットワーク拒否に起因すると決定すると、前記ＰＤＮ接続バックオフタイマーの終了に基づき、前記ＰＤＮ接続確立手順を再試行することを許容することをさらに備え、または
前記実行することは、前記ＵＥが前記ｅＨＲＰＤネットワークにハンドオーバしていると前記決定すると、また前記ＰＤＮ接続障害が前記明確なネットワーク拒否に起因していないと決定すると、前記ＰＤＮ接続バックオフタイマーの前記終了前に前記ＰＤＮ接続確立手順を再試行することを許容することをさらに備える、請求項１に記載の方法。
【請求項１２】
前記１つまたは複数の障害インスタンスのうちの１つのインスタンスは、専用ベアラ確立障害を備え、
前記検出することは、前記ＵＥがｅＨＲＰＤネットワークにハンドオーバしているかどうかを決定することをさらに備え、
前記実行することは、前記ＵＥが前記ｅＨＲＰＤネットワークにハンドオーバしていないと決定すると、サーバ品質（ＱｏＳ）バックオフタイマーの終了に基づき、専用ベアラ確立手順を再試行することをさらに備え、または
前記実行することは、前記ＵＥが前記ｅＨＲＰＤネットワークにハンドオーバしていると前記決定すると、前記ＱｏＳバックオフタイマーの前記終了前に前記専用ベアラ確立を再試行することを許容することをさらに備える、請求項１に記載の方法。
【請求項１３】
ユーザ機器（ＵＥ）に、最適化ハンドオーバプロセスの一部として事前登録手順中に１つまたは複数の障害インスタンスを検出させるためのコードと、
前記ＵＥに、前記検出された１つまたは複数の障害インスタンスに基づいて、１つまたは複数の事前登録再試行プロセスを実行させるためのコードと
を備え、
前記事前登録手順は１つまたは複数のチェックポイントを含み、
前記ＵＥに前記１つまたは複数の事前登録再試行プロセスを実行させるためのコードは、前記ＵＥに、前記障害が検出された前記１つまたは複数のチェックポイントの後のポイントから、前記検出された障害に関連するタイマーの終了後に、前記事前登録手順の一部分を実行させるようにさらに構成される、
コンピュータ可読記憶媒体。
【請求項１４】
前記最適化ハンドオーバプロセスは、ＬＴＥ無線接続を介した発展型高速パケットデータ（ｅＨＲＰＤ）ネットワークへの前記ＵＥの事前登録を備える、請求項１３に記載のコンピュータ可読記憶媒体。
【請求項１５】
前記ＵＥに、永続的ＬＴＥ接続障害を特定させるためのコードと、
前記ＵＥに、新しい事前登録通知を受信したときに事前登録を再試行させるためのコードと、をさらに備える、請求項１３に記載のコンピュータ可読記憶媒体。
【請求項１６】
前記ＵＥに、前記ＵＥが前記ＬＴＥネットワークから切り離されていることを検出させるか、または、前記ＵＥがＬＴＥサービスの範囲外にあることを検出させるかのうちの少なくとも１つのコードをさらに備える、請求項１５に記載のコンピュータ可読記憶媒体。
【請求項１７】
前記１つまたは複数の障害インスタンスのうちの１つのインスタンスは、一時的ＬＴＥ接続障害を備え、
前記コンピュータ可読記憶媒体は、前記ＵＥに、前記一時的ＬＴＥ接続障害がセッション交渉に関する信号の送信中に発生しているかどうかを決定させるためのコードをさらに備える、請求項１３に記載のコンピュータ可読記憶媒体。
【請求項１８】
前記ＵＥに、前記一時的ＬＴＥ接続障害がセッション交渉に関するシグナリングの送信中に生じているとの決定を受けて、セッション交渉バックオフタイマーの終了後、前記事前登録プロセスを再試行させるためのコードをさらに備える、請求項１７に記載のコンピュータ可読記憶媒体。
【請求項１９】
前記ＵＥに、
異なるＬＴＥセルに前記ＵＥが移動していると決定させ、
前記セッション交渉バックオフタイマーをリセットさせ、
前記セッション交渉バックオフタイマーに関連するカウンタをリセットさせ、
前記事前登録手順を再試行させるためのコードをさらに備える、請求項１８に記載のコンピュータ可読記憶媒体。
【請求項２０】
前記ＵＥに、セッション交渉バックオフタイマーの終了後、前記事前登録プロセスを再試行させるためのコードをさらに備え、禁止時間が、前記一時的ＬＴＥ接続障害の前記検出に伴って指示されているときに前記セッション交渉バックオフタイマーの値に使用される、請求項１７に記載のコンピュータ可読記憶媒体。
【請求項２１】
前記１つまたは複数の障害インスタンスは、セッション交渉障害、データ呼を立ち上げるときの仮想接続障害、またはリンク制御プロトコル（ＬＣＰ）障害のうちの少なくとも１つを備え、
前記コンピュータ可読記憶媒体は、前記ＵＥに、前記検出された１つまたは複数の障害インスタンスに関連するバックオフタイマーが終了すると、前記事前登録手順を再試行させるためのコードをさらに備える、請求項１３に記載のコンピュータ可読記憶媒体。
【請求項２２】
前記ＵＥに、
前記ＵＥがカラーコードのコードを検出していると決定させ、
前記検出された１つまたは複数の障害インスタンスに関連する再試行バックオフタイマーをリセットさせ、
前記再試行バックオフタイマーに関連するカウンタをリセットさせ、
前記事前登録手順を再試行させるためのコードをさらに備える、請求項２１に記載のコンピュータ可読記憶媒体。
【請求項２３】
前記１つまたは複数の障害インスタンスのうちの１つのインスタンスは、パケットデータネットワーク（ＰＤＮ）接続障害を備え、
前記コンピュータ可読記憶媒体は、前記ＵＥに、
前記ＰＤＮ接続障害が明確なネットワーク拒否に起因するかどうか、また前記ＵＥがｅＨＲＰＤネットワークにハンドオーバしているかどうかを決定させ、および
ＰＤＮ接続バックオフタイマーが終了すると、また前記ＵＥが前記ｅＨＲＰＤサポート対象ネットワークにハンドオーバしていないと決定するとＰＤＮ接続確立手順を再試行させ、または
前記ＰＤＮ接続バックオフタイマーが終了し、前記ＵＥが前記ｅＨＲＰＤネットワークにハンドオーバしていると前記決定し、また前記ＰＤＮ接続障害が前記明確なネットワーク拒否に起因すると決定すると、前記ＰＤＮ接続確立手順を再試行することを許容させ、または
前記ＵＥが前記ｅＨＲＰＤネットワークにハンドオーバしていると前記決定し、また前記ＰＤＮ接続障害が前記明確なネットワーク拒否に起因していないと決定すると、前記ＰＤＮ接続バックオフタイマーの前記終了前に前記ＰＤＮ接続確立手順を再試行することを許容させるためのコードをさらに備える、請求項１３に記載のコンピュータ可読記憶媒体。
【請求項２４】
前記１つまたは複数の障害インスタンスのうちの１つのインスタンスは、専用ベアラ確立障害を備え、
前記コンピュータ可読記憶媒体は、前記ＵＥに、
前記ＵＥがｅＨＲＰＤネットワークにハンドオーバしているかどうかを決定させ、および
前記ＵＥが前記ｅＨＲＰＤネットワークにハンドオーバしていないと決定すると、サーバ品質（ＱｏＳ）バックオフタイマーの終了に基づき、専用ベアラ確立手順を再試行させ、または
前記ＵＥが前記ｅＨＲＰＤネットワークにハンドオーバしていると前記決定すると、前記ＱｏＳバックオフタイマーの前記終了前に前記専用ベアラ確立を再試行することを許容させるためのコードをさらに備える、請求項１３に記載のコンピュータ可読記憶媒体。
【請求項２５】
ワイヤレス通信のための装置であって、
ユーザ機器（ＵＥ）によって、最適化ハンドオーバプロセスの一部として事前登録手順中に１つまたは複数の障害インスタンスを検出するための手段と、
前記ＵＥによって、前記検出された１つまたは複数の障害インスタンスに基づいて、１つまたは複数の事前登録再試行プロセスを実行するための手段と、
を備え、
前記事前登録手順は１つまたは複数のチェックポイントを含み、
前記実行するための手段は、前記障害が検出された前記１つまたは複数のチェックポイントの後のポイントから、前記検出された障害に関連するタイマーの終了後に、前記事前登録手順の一部分を実行するようにさらに構成される、
装置。
【請求項２６】
前記最適化ハンドオーバプロセスは、ＬＴＥ無線接続を介した発展型高速パケットデータ（ｅＨＲＰＤ）ネットワークへの前記ＵＥの事前登録を備える、請求項２５に記載の装置。
【請求項２７】
検出するための前記手段は、永続的ＬＴＥ接続障害を特定するための手段をさらに備え、
１つまたは複数の事前登録再試行プロセスを実行するための前記手段は、新しい事前登録通知を受信したときに事前登録を再試行するための手段を備える、請求項２５に記載の装置。
【請求項２８】
前記永続的ＬＴＥ接続障害を特定するための手段は、
前記ＵＥが前記ＬＴＥネットワークから切り離されていることを検出するための手段、または
前記ＵＥがＬＴＥサービスの範囲外にあることを検出するための手段のうちの少なくとも１つを備える、請求項２７に記載の装置。
【請求項２９】
前記１つまたは複数の障害インスタンスのうちの１つのインスタンスは、一時的ＬＴＥ接続障害を備え、
検出するための前記手段は、前記一時的ＬＴＥ接続障害がセッション交渉に関する信号の送信中に発生しているかどうかを決定するための手段をさらに備える、請求項２５に記載の装置。
【請求項３０】
実行するための前記手段は、前記一時的ＬＴＥ接続障害がセッション交渉に関するシグナリングの送信中に生じていると決定すると、セッション交渉バックオフタイマーの終了後、前記事前登録プロセスを再試行するための手段をさらに備える、請求項２９に記載の装置。
【請求項３１】
異なるＬＴＥセルに前記ＵＥが移動していると決定するための手段と、
前記セッション交渉バックオフタイマーをリセットするための手段と、
前記セッション交渉バックオフタイマーに関連するカウンタをリセットするための手段と、
前記事前登録手順を再試行するための手段とをさらに備える、請求項３０に記載の装置。
【請求項３２】
実行するための前記手段は、セッション交渉バックオフタイマーの終了後、前記事前登録プロセスを再試行するための手段をさらに備え、禁止時間が、前記一時的ＬＴＥ接続障害の前記検出に伴って指示されているときに前記セッション交渉バックオフタイマーの値に使用される、請求項２９に記載の装置。
【請求項３３】
前記１つまたは複数の障害インスタンスは、セッション交渉障害、データ呼を立ち上げるときの仮想接続障害、またはリンク制御プロトコル（ＬＣＰ）障害のうちの少なくとも１つを備え、
実行するための前記手段は、前記検出された１つまたは複数の障害インスタンスに関連するバックオフタイマーの終了に基づき、前記事前登録手順を再試行するための手段を備える、請求項２５に記載の装置。
【請求項３４】
前記ＵＥがカラーコードの変化を検出していると決定するための手段と、
前記検出された１つまたは複数の障害インスタンスに関連する再試行バックオフタイマーをリセットするための手段と、
前記再試行バックオフタイマーに関連するカウンタをリセットするための手段と、
前記事前登録手順を再試行するための手段とをさらに備える、請求項３３に記載の装置。
【請求項３５】
前記１つまたは複数の障害インスタンスのうちの１つのインスタンスは、パケットデータネットワーク（ＰＤＮ）接続障害を備え、
検出するための前記手段は、前記ＰＤＮ接続障害が明確なネットワーク拒否に起因するかどうか、また前記ＵＥがｅＨＲＰＤネットワークにハンドオーバしているかどうかを決定するための手段をさらに備え、
実行するための前記手段は、ＰＤＮ接続バックオフタイマーの終了に基づき、また前記ＵＥが前記ｅＨＲＰＤサポート対象ネットワークにハンドオーバしていないと決定すると、ＰＤＮ接続確立手順を再試行するための手段をさらに備え、または
実行するための前記手段は、前記ＵＥが前記ｅＨＲＰＤネットワークにハンドオーバしていると前記決定すると、また前記ＰＤＮ接続障害が前記明確なネットワーク拒否に起因すると決定すると、前記ＰＤＮ接続バックオフタイマーの終了に基づき、前記ＰＤＮ接続確立手順を再試行することを許容するための手段をさらに備え、または
実行するための前記手段は、前記ＵＥが前記ｅＨＲＰＤネットワークにハンドオーバしていると前記決定すると、また前記ＰＤＮ接続障害が前記明確なネットワーク拒否に起因していないと決定すると、前記ＰＤＮ接続バックオフタイマーの前記終了前に前記ＰＤＮ接続確立手順を再試行することを許容するための手段をさらに備える、請求項２５に記載の装置。
【請求項３６】
前記１つまたは複数の障害インスタンスのうちの１つのインスタンスは、専用ベアラ確立障害を備え、
検出するための前記手段は、前記ＵＥがｅＨＲＰＤネットワークにハンドオーバしているかどうかを決定するための手段をさらに備え、
実行するための前記手段は、前記ＵＥが前記ｅＨＲＰＤネットワークにハンドオーバしていないと決定すると、サーバ品質（ＱｏＳ）バックオフタイマーの終了に基づき、専用ベアラ確立手順を再試行するための手段をさらに備え、または
実行するための前記手段は、前記ＵＥが前記ｅＨＲＰＤネットワークにハンドオーバしていると前記決定すると、前記ＱｏＳバックオフタイマーの前記終了前に前記専用ベアラ確立を再試行することを許容するための手段をさらに備える、請求項２５に記載の装置。
【請求項３７】
通信のための装置であって、
プロセッサと、
前記プロセッサと通信している事前登録障害モジュールとを備え、
前記事前登録障害モジュールは、
最適化ハンドオーバプロセスの一部として事前登録手順中に１つまたは複数の障害インスタンスを検出し、
前記検出された１つまたは複数の障害インスタンスに基づいて、１つまたは複数の事前登録再試行プロセスを実行する
ように構成され、
前記事前登録手順は１つまたは複数のチェックポイントを含み、
前記１つまたは複数の事前登録再試行プロセスを実行するために、前記事前登録障害モジュールは、前記障害が検出された前記１つまたは複数のチェックポイントの後のポイントから、前記検出された障害に関連するタイマーの終了後に、前記事前登録手順の一部分を実行するようにさらに構成される、
装置。
【請求項３８】
前記最適化ハンドオーバプロセスは、ＬＴＥ無線接続を介した発展型高速パケットデータ（ｅＨＲＰＤ）ネットワークへの前記ＵＥの事前登録を備える、請求項３７に記載の装置。
【請求項３９】
前記事前登録障害モジュールは、
永続的ＬＴＥ接続障害を特定し、
新しい事前登録通知を受信したときに事前登録を再試行するようにさらに構成される、請求項３７に記載の装置。
【請求項４０】
前記事前登録障害モジュールは、
前記ＵＥが前記ＬＴＥネットワークから切り離されていること、または
前記ＵＥがＬＴＥサービスの範囲外にあることのうちの少なくとも１つを検出するようにさらに構成される、請求項３９に記載の装置。
【請求項４１】
前記１つまたは複数の障害インスタンスのうちの１つのインスタンスは、一時的ＬＴＥ接続障害を備え、
前記事前登録障害モジュールは、前記一時的ＬＴＥ接続障害がセッション交渉に関する信号の送信中に発生しているかどうかを決定するようにさらに構成される、請求項３７に記載の装置。
【請求項４２】
前記事前登録障害モジュールは、前記一時的ＬＴＥ接続障害がセッション交渉に関するシグナリングの送信中に生じていると決定すると、セッション交渉バックオフタイマーの終了後、前記事前登録プロセスを再試行するようにさらに構成される、請求項４１に記載の装置。
【請求項４３】
前記事前登録障害モジュールは、
異なるＬＴＥセルに前記ＵＥが移動していると決定し、
前記セッション交渉バックオフタイマーをリセットし、
前記セッション交渉バックオフタイマーに関連するカウンタをリセットし、
前記事前登録手順を再試行するようにさらに構成される、請求項４２に記載の装置。
【請求項４４】
前記事前登録障害モジュールは、セッション交渉バックオフタイマーの終了後、前記事前登録プロセスを再試行するようにさらに構成され、禁止時間が、前記一時的ＬＴＥ接続障害の前記検出に伴って指示されているときに前記セッション交渉バックオフタイマーの値に使用される、請求項４１に記載の装置。
【請求項４５】
前記１つまたは複数の障害インスタンスは、セッション交渉障害、データ呼を立ち上げるときの仮想接続障害、またはリンク制御プロトコル（ＬＣＰ）障害のうちの少なくとも１つを備え、
前記事前登録障害モジュールは、前記検出された１つまたは複数の障害インスタンスに関連するバックオフタイマーの終了に基づき前記事前登録手順を再試行するようにさらに構成される、請求項３７に記載の装置。
【請求項４６】
前記事前登録障害モジュールは、
ＵＥがカラーコードの変化を検出していると決定し、
前記検出された１つまたは複数の障害インスタンスに関連する再試行バックオフタイマーをリセットし、
前記再試行バックオフタイマーに関連するカウンタをリセットし、
前記事前登録手順を再試行するようにさらに構成される、請求項４５に記載の装置。
【請求項４７】
前記１つまたは複数の障害インスタンスのうちの１つのインスタンスは、パケットデータネットワーク（ＰＤＮ）接続障害を備え、
前記事前登録障害モジュールは、
前記障害が明確なネットワーク拒否に起因するかどうか、また前記ＵＥがｅＨＲＰＤネットワークにハンドオーバしているかどうかを決定し、および
ＰＤＮ接続バックオフタイマーの終了に基づき、また前記ＵＥが前記ｅＨＲＰＤサポート対象ネットワークにハンドオーバしていないと決定すると、ＰＤＮ接続確立手順を再試行し、または
前記ＵＥが前記ｅＨＲＰＤネットワークにハンドオーバしていると前記決定すると、また前記ＰＤＮ接続障害が前記明確なネットワーク拒否に起因すると決定すると、前記ＰＤＮ接続バックオフタイマーの終了に基づき、前記ＰＤＮ接続確立手順を再試行することを許容し、または
前記ＵＥが前記ｅＨＲＰＤネットワークにハンドオーバしていると前記決定すると、また前記ＰＤＮ接続障害が前記明確なネットワーク拒否に起因していないと決定すると、前記ＰＤＮ接続バックオフタイマーの前記終了前に前記ＰＤＮ接続確立手順を再試行することを許容するようにさらに構成される、請求項３７に記載の装置。
【請求項４８】
前記１つまたは複数の障害インスタンスのうちの１つのインスタンスは、専用ベアラ確立障害を備え、
前記事前登録障害モジュールは、
前記ＵＥがｅＨＲＰＤネットワークにハンドオーバしているかどうかを決定し、および
前記ＵＥが前記ｅＨＲＰＤネットワークにハンドオーバしていないと決定すると、サーバ品質（ＱｏＳ）バックオフタイマーの終了に基づき、専用ベアラ確立手順を再試行し、または
前記ＵＥが前記ｅＨＲＰＤネットワークにハンドオーバしていると前記決定すると、前記ＱｏＳバックオフタイマーの前記終了前に前記専用ベアラ確立を再試行することを許容するようにさらに構成される、請求項３７に記載の装置。
【発明の詳細な説明】
【関連出願】
【０００１】
本出願は、本出願の譲受人に譲渡され、その内容全体が参照により本明細書に明確に組み込まれる、２０１１年１０月２０日に出願された「ＭＥＴＨＯＤＳ  ＡＮＤ  ＡＰＰＡＲＡＴＵＳ  ＦＯＲ  ＨＡＮＤＬＩＮＧ  ＦＡＩＬＵＲＥ  ＡＮＤ  ＲＥＴＲＹ  ＭＥＣＨＡＮＩＳＭＳ  ＤＵＲＩＮＧ  ｅＨＲＰＤ  ＰＲＥ−ＲＥＧＩＳＴＲＡＴＩＯＮ」と題する米国特許仮出願第６１／５４９，７１９号および２０１２年６月１４日に出願された「ＭＥＴＨＯＤＳ  ＡＮＤ  ＡＰＰＡＲＡＴＵＳ  ＦＯＲ  ＨＡＮＤＬＩＮＧ  ＦＡＩＬＵＲＥ  ＡＮＤ  ＲＥＴＲＹ  ＭＥＣＨＡＮＩＳＭＳ  ＤＵＲＩＮＧ  ｅＨＲＰＤ  ＰＲＥ−ＲＥＧＩＳＴＲＡＴＩＯＮ」と題する米国特許出願第１３／５２３，８３８号の利益を主張するものである。
【技術分野】
【０００２】
本開示は、総体的に、通信システムに関し、より詳細には、発展型高速パケットデータ（ｅＨＲＰＤ：evolved high rate packet data）最適化ハンドオーバのための事前登録の間で、障害を効果的に処理するユーザ機器（ＵＥ）ベースのプロセスおよび再試行機構に関する。
【背景技術】
【０００３】
ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
これらの多元接続技術は、様々なワイヤレスデバイスが都市、国家、地域、さらには地球規模で通信することを可能にする共通プロトコルを提供するために様々な電気通信規格において採用されている。新生の電気通信規格の一例はＬｏｎｇ  Ｔｅｒｍ  Ｅｖｏｌｕｔｉｏｎ（ＬＴＥ）である。ＬＴＥは、第３世代パートナーシッププロジェクト（３ＧＰＰ：Third Generation Partnership Project）によって公表されたユニバーサルモバイル電気通信システム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
以下で、１つまたは複数の態様の基本的理解を与えるために、そのような態様の簡略化された概要を提示する。この概要は、すべての企図された態様の包括的な概観ではなく、すべての態様の主要または重要な要素を特定するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００６】
１つまたは複数の態様およびその対応する開示に従って、ｅＨＲＰＤ最適化ハンドオーバのための事前登録の間で、障害効果的に処理することおよび再試行機構に関して、様々な態様について説明する。一例では、ＵＥは、最適化ハンドオーバプロセスの一部として事前登録手順中に１つまたは複数の障害インスタンスを検出するように装備され得る。ＵＥはさらに、検出された１つまたは複数の障害インスタンスに基づいて、１つまたは複数の事前登録再試行プロセスを実行するように装備され得る。
【０００７】
関係する態様による、ｅＨＲＰＤ最適化ハンドオーバのための事前登録の間で、障害を効果的に処理することおよび再試行機構のための方法。本方法は、ＵＥによって、最適化ハンドオーバプロセスの一部として事前登録手順中に１つまたは複数の障害インスタンスを検出することを含み得る。さらに、本方法は、ＵＥによって、検出された１つまたは複数の障害インスタンスに基づいて、１つまたは複数の事前登録再試行プロセスを実行することを含み得る。
【０００８】
別の態様は通信装置に関する。本ワイヤレス通信装置は、ＵＥによって、最適化ハンドオーバプロセスの一部として、事前登録手順中に１つまたは複数の障害インスタンスを検出するための手段を含み得る。さらに、本通信装置は、ＵＥによって、検出された１つまたは複数の障害インスタンスに基づいて、１つまたは複数の事前登録再試行プロセスを実行するための手段を含み得る。
【０００９】
別の態様は通信装置に関する。本装置は、最適化ハンドオーバプロセスの一部として、事前登録手順中に１つまたは複数の障害インスタンスを検出するように構成された事前登録障害モジュールを含み得る。さらに、事前登録障害モジュールは、検出された１つまたは複数の障害インスタンスに基づいて、１つまたは複数の事前登録再試行プロセスを実行するように構成され得る。
【００１０】
別の態様はコンピュータプログラム製品に関し、本コンピュータプログラム製品は、ＵＥによって、最適化ハンドオーバプロセスの一部として、事前登録手順中に１つまたは複数の障害インスタンスを検出するためのコードを備えるコンピュータ可読媒体を有し得る。さらに、本コンピュータ可読媒体は、ＵＥによって、検出された１つまたは複数の障害インスタンスに基づいて、１つまたは複数の事前登録再試行プロセスを実行するためのコードを含み得る。
【００１１】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【図面の簡単な説明】
【００１２】
【図１】処理システムを採用する装置のためのハードウェア実装形態の一例を示す図。
【図２】ネットワークアーキテクチャの一例を示す図。
【図３】アクセスネットワークの一例を示す図。
【図４】ｅＨＲＰＤ最適化ハンドオーバ事前登録中に使用する無線プロトコルアーキテクチャの一例を示す図。
【図５】アクセスネットワーク中の発展型ノードＢおよびユーザ機器の一例を示す図。
【図６】一態様による例示的なアクセスネットワークを示す図。
【図７】ｅＨＲＰＤセットアップ手順を示すコールフロー図。
【図８】一態様によるワイヤレス通信の方法のフローチャート。
【図９】一態様によるワイヤレス通信デバイスを示す概念ブロック図。
【図１０】一態様によるワイヤレス通信の別の方法のフローチャート。
【図１１】例示的な装置の機能を示す概念的なブロック図。
【詳細な説明】
【００１３】
添付の図面に関して以下に示す発明を実施するための形態は、様々な構成を説明するものであり、本明細書で説明する概念が実施され得る唯一の構成を表すものではない。発明を実施するための形態は、様々な概念の十分な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素がブロック図の形式で示される。
【００１４】
次に、様々な装置および方法に関して電気通信システムのいくつかの態様が提示される。これらの装置および方法が、以下の発明を実施するための形態において説明され、（「要素」と総称される）様々なブロック、モジュール、構成要素、回路、ステップ、プロセス、アルゴリズムなどによって添付の図面において示される。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課された設計制約に依存する。
【００１５】
例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１６】
したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスできる任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００１７】
図１は、処理システム１１４を採用する装置１００のためのハードウェア実装形態の一例を示す概念図である。この例では、処理システム１１４は、バス１０２によって概略的に表されるバスアーキテクチャを用いて実装され得る。バス１０２は、処理システム１１４の特定の適用例および全体的な設計制約に応じて、任意の数の相互接続バスおよびブリッジを含み得る。バス１０２は、プロセッサ１０４によって概略的に表される１つまたは複数のプロセッサと、コンピュータ可読媒体１０６によって概略的に表されるコンピュータ可読媒体とを含む様々な回路を互いにリンクする。バス１０２はまた、タイミングソース、周辺機器、電圧調整器、および電力管理回路など、様々な他の回路をリンクし得るが、これらの回路は当技術分野においてよく知られており、したがって、これ以上説明しない。バスインターフェース１０８は、バス１０２とトランシーバ１１０との間のインターフェースを提供する。トランシーバ１１０は、伝送媒体上で様々な他の装置と通信するための手段を提供する。装置の性質に応じて、ユーザインターフェース１１２（たとえば、キーパッド、ディスプレイ、スピーカー、マイクロフォン、ジョイスティック）も提供され得る。
【００１８】
プロセッサ１０４は、バス１０２を管理することと、コンピュータ可読媒体１０６に記憶されたソフトウェアの実行を含む一般的な処理とを担当する。ソフトウェアは、プロセッサ１０４によって実行されると、処理システム１１４に、任意の特定の装置のための以下で説明される様々な機能を実行させる。コンピュータ可読媒体１０６はまた、ソフトウェアを実行するときにプロセッサ１０４によって操作されるデータを記憶するために使用され得る。
【００１９】
図２は、様々な装置１００（図１参照）を採用するＬＴＥネットワークアーキテクチャ２００を示す図である。ＬＴＥネットワークアーキテクチャ２００は発展型パケットシステム（ＥＰＳ：Evolved Packet System）２００と呼ばれることがある。ＥＰＳ２００は、１つまたは複数のユーザ機器（ＵＥ）２０２と、発展型ＵＭＴＳ地上波無線アクセスネットワーク（Ｅ−ＵＴＲＡＮ：Evolved UMTS Terrestrial Radio Access Network）２０４と、発展型パケットコア（ＥＰＣ：Evolved Packet Core）２１０と、ホーム加入者サーバ（ＨＳＳ：Home Subscriber Server）２２０と、事業者のＩＰサービス２２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００２０】
Ｅ−ＵＴＲＡＮは、発展型ノードＢ（ｅＮＢ）２０６と他のｅＮＢ２０８とを含む。ｅＮＢ２０６は、ＵＥ２０２に対してユーザプレーンプロトコル終端と制御プレーンプロトコル終端とを与える。ｅＮＢ２０６は、Ｘ２インターフェース（すなわち、バックホール）を介して他のｅＮＢ２０８に接続され得る。ｅＮＢ２０６はまた、当業者によって、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることがある。ｅＮＢ２０６は、ＵＥ２０２にＥＰＣ２１０へのアクセスポイントを与える。ＵＥ２０２の例には、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ２０２は、当業者によって、移動局、加入者局、モバイルユニット、加入者ユニット、ワイヤレスユニット、リモートユニット、モバイルデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２１】
ｅＮＢ２０６はＳ１インターフェースによってＥＰＣ２１０に接続される。ＥＰＣ２１０は、モビリティ管理エンティティ（ＭＭＥ：Mobility Management Entity）２１２と、他のＭＭＥ２１４と、サービングゲートウェイ２１６と、パケットデータネットワーク（ＰＤＮ：Packet Data Network）ゲートウェイ２１８とを含む。ＭＭＥ２１２は、ＵＥ２０２とＥＰＣ２１０との間のシグナリングを処理する制御ノードである。概して、ＭＭＥ２１２はベアラおよび接続管理を行う。すべてのユーザＩＰパケットはサービングゲートウェイ２１６を通して転送され、サービングゲートウェイ２１６自体はＰＤＮゲートウェイ２１８に接続される。ＰＤＮゲートウェイ２１８はＵＥのＩＰアドレス割振りならびに他の機能を与える。ＰＤＮゲートウェイ２１８は事業者のＩＰサービス２２２に接続される。事業者のＩＰサービス２２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００２２】
図３は、ＬＴＥネットワークアーキテクチャにおけるアクセスネットワークの一例を示す図である。この例では、アクセスネットワーク３００は、いくつかのセルラー領域（セル）３０２に分割される。１つまたは複数のより低い電力クラスのｅＮＢ３０８、３１２は、セル３０２のうちの１つまたは複数と重複する、それぞれ、セルラー領域３１０、３１４を有し得る。より低い電力クラスのｅＮＢ３０８、３１２は、フェムトセル（たとえば、ホームｅＮＢ（ＨｅＮＢ））、ピコセル、またはマイクロセルであり得る。より高い電力クラスのｅＮＢまたはマクロｅＮＢ３０４は、セル３０２に割り当てられ、セル３０２内のすべてのＵＥ３０６にＥＰＣ２１０へのアクセスポイントを与えるように構成される。アクセスネットワーク３００のこの例には集中コントローラはないが、代替構成では集中コントローラが使用され得る。ｅＮＢ３０４は、無線ベアラ制御、承認制御、モビリティ制御、スケジューリング、セキュリティ、およびサービングゲートウェイ２１６（図２参照）への接続性を含む、無線に関係するすべての機能を担当する。
【００２３】
アクセスネットワーク３００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、Ｅｖｏｌｕｔｉｏｎ−Ｄａｔａ  Ｏｐｔｉｍｉｚｅｄ（ＥＶ−ＤＯ）またはＵｌｔｒａ  Ｍｏｂｉｌｅ  Ｂｒｏａｄｂａｎｄ（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２４】
ｅＮＢ３０４は、ＭＩＭＯ技術をサポートする複数のアンテナを有し得る。ＭＩＭＯ技術の使用により、ｅＮＢ３０４は、空間多重化と、ビームフォーミングと、送信ダイバーシティとをサポートするために空間領域を活用することが可能になる。
【００２５】
空間多重化は、データの異なるストリームを同じ周波数上で同時に送信するために使用され得る。データストリームは、データレートを増加させるために単一のＵＥ３０６に送信されるか、または全体的なシステム容量を増加させるために複数のＵＥ３０６に送信され得る。これは、各データストリームを空間的にプリコーディングし（すなわち、振幅および位相のスケーリングを適用し）、次いでダウンリンク上で複数の送信アンテナを通して空間的にプリコーディングされた各ストリームを送信することによって達成される。空間的にプリコーディングされたデータストリームは、異なる空間シグナチャとともに（１つまたは複数の）ＵＥ３０６に到着し、これにより、（１つまたは複数の）ＵＥ３０６の各々がそのＵＥ３０６に宛てられた１つまたは複数のデータストリームを復元することが可能になる。アップリンク上で、各ＵＥ３０６は、空間的にプリコーディングされたデータストリームを送信し、これにより、ｅＮＢ３０４は、空間的にプリコーディングされた各データストリームのソースを識別することが可能になる。
【００２６】
空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２７】
以下の詳細な説明では、ダウンリンク上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。アップリンクは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２８】
無線プロトコルアーキテクチャは、特定の適用例に応じて様々な形態をとり得る。次に図４を参照しながら、発展型アクセスノード（ｅＡＮ）４０４にｅＨＲＰＤ事前登録情報をトンネリングするように動作可能なＬＴＥシステムマルチモードＵＥ４０２の一例を提示する。図４は、マルチモードＵＥ４０２およびｅＡＮ４０４のための無線プロトコルアーキテクチャの一例を示す概念図である。
【００２９】
図４を参照すると、ｅＮＢと通信し得るＵＥ４０２のための無線プロトコルアーキテクチャは、レイヤ１と、レイヤ２と、レイヤ３との３つのレイヤとともに示されている。レイヤ１は最下位レイヤであり、様々な物理レイヤ信号処理機能を実装する。レイヤ１を本明細書では物理レイヤ４０６と呼ぶ。レイヤ２（Ｌ２レイヤ）４０８は、物理レイヤ４０６の上にあり、物理レイヤ４０６を介したＵＥとｅＮＢとの間のリンクを担当する。レイヤ３（Ｌ３レイヤ）４１８は、Ｌ２レイヤ４０８の上にあり、制御プレーンにおいてネットワークから無線リソースを取得し、ユーザプレーンにおいて適用機能を可能にすることを担当する。
【００３０】
ユーザプレーンでは、Ｌ２レイヤ４０８は、ネットワーク側のｅＮＢにおいて終端される、媒体アクセス制御（ＭＡＣ：media access control）サブレイヤ４１０と、無線リンク制御（ＲＬＣ：radio link control）サブレイヤ４１２と、パケットデータコンバージェンスプロトコル（ＰＤＣＰ：packet data convergence protocol）４１４サブレイヤとを含む。
【００３１】
ＰＤＣＰサブレイヤ４１４は、異なる無線ベアラと論理チャネルとの間で多重化を行う。ＰＤＣＰサブレイヤ４１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを行う。ＲＬＣサブレイヤ４１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ４１０は、論理チャネルとトランスポートチャネルとの間の多重化を行う。ＭＡＣサブレイヤ４１０はまた、ＵＥの間で１つのセル内の様々な無線リソース（たとえば、リソースブロック）を割り振ることを担当する。ＭＡＣサブレイヤ４１０はまたＨＡＲＱ動作を担当する。
【００３２】
ユーザプレーンでは、Ｌ３レイヤ４１８は、高速パケットデータ（ＨＲＰＤ）シグナリング適応プロトコル（ＳＡＰ）４２０と様々なＨＲＰＤレイヤ４２２とを含む。一態様では、ＨＲＰＤレイヤ４２２は、限定はしないが、ＨＲＰＤポート制御プロトコル（ＰＣＰ）、ＨＲＰＤストリームプロトコル、ＨＲＰＤシグナリングレイヤプロトコル（ＳＬＰ）、ＨＲＰＤシグナリングネットワークプロトコル（ＳＮＰ）、およびＨＲＰＤマルチフローパケットアプリケーション（ＭＦＰＡ：multi-flow packet application）、拡張マルチフローパケットアプリケーション（ＭＦＰＡ：enhanced multi-flow packet application）、マルチリンクマルチフローパケットアプリケーション（ＭＭＰＡ：multi-link multi-flow packet application）を含み得る。
【００３３】
制御プレーンでは、ＵＥおよびｅＮＢのための無線プロトコルアーキテクチャは、制御プレーンのためのヘッダ圧縮機能がないことを除いて、物理レイヤ４０６およびＬ２レイヤ４０８について実質的に同じである。制御プレーンはまた、レイヤ３中に無線リソース制御（ＲＲＣ：radio resource control）サブレイヤ４１６を含む。ＲＲＣサブレイヤ４１６は、無線リソース（すなわち、無線ベアラ）を取得することと、ｅＮＢとＵＥとの間のＲＲＣシグナリングを使用して下位レイヤを構成することとを担当する。そのようなシグナリング構成４３２は、マルチモードＵＥ４０２とｅＡＮ４０４との間でｅＨＲＰＤ事前登録情報をトンネリングするのを支援するために使用され得る。
【００３４】
ＭＭＥと通信し得るｅＡＮ４０４のための無線プロトコルアーキテクチャは、Ｌ１／Ｌ２レイヤ４２４と、インターネットプロトコル（ＩＰ）レイヤ４２６と、ユーザデータグラムプロトコルレイヤ４２８とを含む。制御プレーンでは、ｅＡＮ４０４はＳ１０１−ＡＰ４３０インターフェースを含む。ｅＡＮ４０４は、Ｓ１０１インターフェースを通して発展型パケットコア（ＥＰＣ）モビリティ管理エンティティ（ＭＭＥ）との通信をサポートする。動作中、ＭＭＥは、ＵＥ４０２、ｅＮＢおよびｅＡＮ４０４の間の通信を促進することができる。ＨＲＰＤ接続レイヤプロトコルにおけるＨＲＰＤ−ＳＡＰ４２０は、Ｓ１０１動作用に定義され得る。ＨＲＰＤ−ＳＡＰ４２０は、ＵＥ４０２のサービングエアインターフェースを追跡し、ＨＲＰＤシグナリングメッセージが直接ＨＲＰＤ動作モードを使用して送信されることになるか、それともＬＴＥトンネル４３２を介してルーティングされることになるかを決定する。ＨＲＰＤ−ＳＡＰは、非アクセス層（ＮＡＳ）４１７を通してＬＴＥ−ＲＣＣ４１６との間で情報を通信する。たとえば、ＵＥがトンネル動作モード４３２にある場合、送信されたシグナリング適応パケットはＮＡＳ４１７を介してＬＴＥ−ＲＲＣ４１６に転送され、Ｓ１０１トンネル４３２を介してｅＡＮ４０４におけるＳ１０１−ＡＰ３２０に送られ、ＬＴＥ−ＲＲＣ４１６から受信されたシグナリング適応パケットはＮＡＳ４１７を介してＨＲＰＤ４２２（たとえば、ＨＲＰＤ−ＰＣＤ）に転送され得る。
【００３５】
図５は、アクセスネットワーク中でｅＮＢ５１０がＵＥ５５０と通信しているブロック図である。ＤＬでは、コアネットワークからの上位レイヤパケットが、コントローラ／プロセッサ５７５に与えられる。コントローラ／プロセッサ５７５は、図４に関して前に説明したＬ２レイヤの機能を実装する。ＤＬでは、コントローラ／プロセッサ５７５は、様々な優先度メトリックに基づいてヘッダ圧縮と、暗号化と、パケットのセグメント化および並べ替えと、論理チャネルとトランスポートチャネルとの間の多重化と、ＵＥ５５０への無線リソース割振りとを行う。コントローラ／プロセッサ５７５はまた、ＨＡＲＱ動作と、紛失パケットの再送信と、ＵＥ５５０へのシグナリングとを担当する。
【００３６】
ＴＸプロセッサ５１６は、Ｌ１レイヤ（すなわち、物理レイヤ）のための様々な信号処理機能を実装する。信号処理機能は、ＵＥ５５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、コーディングされた変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器５７４からのチャネル推定値は、符号化および変調方式を決定するために、ならびに空間処理のために使用され得る。チャネル推定値は、ＵＥ５５０によって送信される基準信号および／またはチャネル状態フィードバックから導出され得る。次いで、各空間ストリームは、別個の送信機５１８ＴＸを介して異なるアンテナ５２０に与えられる。各送信機５１８ＴＸは、送信のためにそれぞれの空間ストリームでＲＦキャリアを変調する。
【００３７】
ＵＥ５５０において、各受信機５５４ＲＸは、それのそれぞれのアンテナ５５２を通して信号を受信する。各受信機５５４ＲＸは、ＲＦキャリア上に変調された情報を復元し、受信機（ＲＸ）プロセッサ５５６に情報を与える。
【００３８】
ＲＸプロセッサ５５６はＬ１レイヤの様々な信号処理機能を実装する。ＲＸプロセッサ５５６は、ＵＥ５５０に宛てられた任意の空間ストリームを復元するために、情報に対して空間処理を実行する。複数の空間ストリームがＵＥ５５０に宛てられた場合、それらはＲＸプロセッサ５５６によって単一のＯＦＤＭシンボルストリームに合成され得る。ＲＸプロセッサ５５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ５１０によって送信される、可能性が最も高い信号のコンスタレーションポイントを決定することによって復元され、復調される。これらの軟判定（soft decisions）は、チャネル推定器５５８によって計算されるチャネル推定値に基づき得る。軟判定は、次いで、物理チャネル上でｅＮＢ５１０によって最初に送信されたデータおよび制御信号を復元するために復号され、デインターリーブされる。データおよび制御信号は、次いでコントローラ／プロセッサ５５９に与えられる。
【００３９】
コントローラ／プロセッサ５５９は、図４に関して前に説明したＬ２レイヤを実装する。ＵＬでは、コントロール／プロセッサ５５９は、コアネットワークからの上位レイヤパケットを復元するために、トランスポートチャネルと論理チャネルとの間での多重分離と、パケット再統合と、復号と、ヘッダの復元と、制御信号処理とを行う。上位レイヤパケットは、次いで、Ｌ２レイヤの上のすべてのプロトコルレイヤを表すデータシンク５６２に与えられる。また、様々な制御信号がＬ３処理のためにデータシンク５６２に与えられ得る。コントローラ／プロセッサ５５９はまた、ＨＡＲＱ動作をサポートするために肯定応答（ＡＣＫ）および／または否定応答（ＮＡＣＫ）プロトコルを使用した誤り検出を担当する。
【００４０】
ＵＬでは、データソース５６７は、コントローラ／プロセッサ５５９に上位レイヤパケットを与えるために使用される。データソース５６７は、Ｌ２レイヤ（Ｌ２）の上のすべてのプロトコルレイヤを表す。ｅＮＢ５１０によるＤＬ送信に関して説明する機能と同様に、コントローラ／プロセッサ５５９は、ヘッダ圧縮と、暗号化と、パケットのセグメント化および並べ替えと、ｅＮＢ５１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ５５９はまた、ＨＡＲＱ動作、紛失パケットの再送信、およびｅＮＢ５１０へのシグナリングを担当する。
【００４１】
ｅＮＢ５１０によって送信される基準信号またはフィードバックからの、チャネル推定器５５８によって導出されるチャネル推定値は、適切なコーディングおよび変調方式を選択することと、空間処理を可能にすることとを行うために、ＴＸプロセッサ５６８によって使用され得る。ＴＸプロセッサ５６８によって生成される空間ストリームは、別個の送信機５５４ＴＸを介して異なるアンテナ５５２に与えられる。各送信機５５４ＴＸは、送信のためにそれぞれの空間ストリームでＲＦキャリアを変調する。
【００４２】
ＵＬ送信は、ＵＥ５５０における受信機機能に関して説明した方法と同様の方法でｅＮＢ５１０において処理される。各受信機５１８ＲＸは、それのそれぞれのアンテナ５２０を通して信号を受信する。各受信機５１８ＲＸは、ＲＦキャリア上で変調された情報を復元し、ＲＸプロセッサ５７０に情報を与える。ＲＸプロセッサ５７０はＬ１レイヤを実装する。
【００４３】
コントローラ／プロセッサ５５９は、図４に関して前に説明したＬ２レイヤを実装する。ＵＬでは、コントロール／プロセッサ５５９は、ＵＥ５５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ５５９からの上位レイヤパケットはコアネットワークに与えられ得る。コントローラ／プロセッサ５５９はまた、ＨＡＲＱ動作をサポートするためにＡＣＫおよび／またはＮＡＣＫプロトコルを使用した誤り検出を担当する。
【００４４】
図１に関して説明した処理システム１１４はＵＥ５５０を含む。特に、処理システム１１４は、ＴＸプロセッサ５６８と、ＲＸプロセッサ５５６と、コントローラ／プロセッサ５５９とを含む。
【００４５】
図６は、様々な装置１００（図１参照）を採用するネットワークアーキテクチャ６００を示す図である。ネットワークアーキテクチャ６００は、多元接続ネットワークを含むことができる。１つのそのようなアクセスネットワークは発展型パケットシステム（ＥＰＳ）と呼ばれることがある。ＥＰＳは、１つまたは複数のユーザ機器（ＵＥ）６０２と、発展型ＵＭＴＳ地上波無線アクセスネットワーク（Ｅ−ＵＴＲＡＮ）６０４と、発展型パケットコア（ＥＰＣ）６１０と、サービングゲートウェイ（ＳＧＷ）６０６と、パケットデータネットワーク（ＰＤＮ）ゲートウェイ６１０と、事業者のＩＰサービス６１２と、３ＧＧＰサーバ６１４とを含み得る。さらに、ネットワークアーキテクチャ６００は、（１つまたは複数の）ＨＲＰＤ基地局（ＢＴＳ）６１８と、発展型アクセスネットワーク／パケット制御機能（ｅＡＮ／ＰＣＦ）６１６と、ｅＨＲＰＤサービングゲートウェイ（ＨＳＧＷ）６２０と、３ＧＰＰ２サーバ６２２とを含み得る。上述のＥＰＳは３ＧＰＰコアネットワーク（たとえば、３ＧＰＰサーバ６１４）によってサービスされてよく、一方でｅＨＲＰＤベースのシステムは３ＧＰＰ２コアネットワーク（たとえば、３ＧＰＰ２サーバ６２２）によってサービスされてよい。本明細書で使用される場合、ＨＲＰＤセッションとｅＨＲＰＤセッションの両方が発展型データのみ（evolved data only）（１ｘＥＶ−ＤＯ）サービスによってサポートされ得る。さらに、ｅＨＲＰＤセッションも、ＬＴＥセッションとともに、３ＧＰＰコアネットワーク６１４によってサービスされる。ＬＴＥシステムにおいてサービングゲートウェイ６０６がＰＤＮ−ゲートウェイ６１０に接続されるのと同様に、ｅＨＲＰＤにおけるＨＳＧＷ６２０もＰＤＮ−ゲートウェイ６１０に接続される。対照的にＨＲＰＤでは、３ＧＰＰ２コアネットワーク６２２に接続されたＰＤＳＮにＡＮが接続される。
【００４６】
一般に、マルチモードデバイス（たとえば、ＵＥ６０２）は、ＬＴＥシステムとｅＨＲＰＤシステムとの間の最適化ハンドオーバをサポートするためにｅＨＲＰＤベースのシステムに事前登録することができる。本明細書で使用される場合、最適化ハンドオーバは、ターゲット無線アクセス技術（ＲＡＴ）に移行する前にターゲットＲＡＴ上で作成される無線およびＩＰセッションコンテキストを用いた、１つの技術からのハンドオーバを指し得る。ｅＨＲＰＤの場合、セッションコンテキストは、ｅＨＲＰＤで作成された無線セッション、認証を含むＰＰＰセッション、ＩＰコンテキスト、およびサービス品質（ＱｏＳ）コンテキストを含み得る。対照的に、非最適化ハンドオーバは、ターゲットＲＡＴに移行する前にターゲットＲＡＴで無線および／またはＩＰコンテキストが作成されることのない、１つの技術からのハンドオーバを指す。移行前にｅＨＲＰＤで上記の４つのコンテキストのうちのいずれか１つが作成されることがない場合、プロセスは非最適化ハンドオーバと考えられ得る。一態様では、ＨＲＰＤ無線セッションが維持され得る一方、他の３つのコンテキストは再作成される必要があり得る。さらに、本明細書で使用される場合、ｅＨＲＰＤ直接モード動作は、ＵＥ６０２が（たとえば、ＨＲＰＤ  ＢＴＳ６１８を通して）ｅＨＲＰＤ無線インターフェース上で直接的に動作している動作モードを指す。対照的に、ｅＨＲＰＤトンネリングモード動作は、ＵＥ６０２がｅＨＲＰＤ無線インターフェース上で直接的に動作してはいない動作モードを指し得る。この場合にＵＥ６０２は、別のＲＡＴ（たとえば、Ｅ−ＵＴＲＡＮ６０４）で動作することができ、トンネルを通してｅＡＮ６１６に接続することができる。一態様では、Ｅ−ＵＴＲＡＮ６０５およびＭＭＥ６０８を通してＵＥ６０２とｅＡＮ６１６との間でトンネルが確立され得る。ＭＭＥ６０８とｅＡＮ６１６との間の通信は、Ｓ１０１インターフェースを使用してサポートされ得る。事前登録の間に、ＵＥ６０２は、ＭＭＥ６０８とｅＡＮ６１６との間のＳ１０１インターフェースを介して、ｅＨＲＰＤ上で、データのみ（data only）ＤＯセッションとＰＰＰと認証コンテキストとを確立し、維持する。さらに、Ｌ３  ４１８レイヤにおいて、ＵＥ６０２は、ＬＴＥコンテキストをミラーリングするために、ｅＨＲＰＤでＩＰコンテキストとＱｏＳコンテキストとを確立し、維持する。動作中、ＵＥ６０２は、ＲＲＣアイドル（RRC Idle）またはＲＲＣ接続モードでＬＴＥネットワーク（たとえば、ＥＰＳ）に接続され得る。さらに、ＵＥ６０２は、ｅＨＲＰＤネットワークに事前登録するように動作可能である。一態様では、ＵＥ６０２は、ＲＲＣ＿ＣＯＮＮＥＣＴＥＤ状態において、ＵＥ６０２がＥ−ＵＴＲＡＮ６０４から、ｐｒｅＲｅｇｉｓｔｒａｔｉｏｎＡｌｌｏｗｅｄをＴＲＵＥにセットするｐｒｅＲｅｇｉｓｔｒａｔｉｏｎＩｎｆｏＨＲＰＤを含むＲＲＣＣｏｎｎｅｃｔｉｏｎＲｅｃｏｎｆｉｇｕｒａｔｉｏｎメッセージを受信したときに、事前登録するように動作可能であると決定され得る。別の例では、ＵＥは、ｐｒｅＲｅｇｉｓｔｒａｔｉｏｎＡｌｌｏｗｅｄをＴＲＵＥにセットするｐｒｅＲｅｇｉｓｔｒａｔｉｏｎＩｎｆｏＨＲＰＤを含むＳＩＢ８を受信することがあり、ＵＥは、このセルに入った後、ＲＲＣＣｏｎｎｅｃｔｉｏｎＲｅｃｏｎｆｉｇｕｒａｔｉｏｎメッセージ内でｐｒｅＲｅｇｉｓｔｒａｔｉｏｎＩｎｆｏＨＲＰＤを受信していない。
【００４７】
事前登録障害は、上述のコンテキストを確立し維持することに関連する様々なステップで発生し得る。一般に、ＵＥ６０２は、Ｓ１０１トンネリングを介してｅＨＲＰＤネットワークへの事前登録を実行することができ、これを通してＵＥ６０２は、ｅＨＲＰＤへの実際のハンドオフの前にｅＨＲＰＤ用にＥＶＤＯ無線セッションとＰＰＰ／ＩＰ／ＱｏＳコンテキストとを作成する。ＵＥ６０２が事前登録中に、ＬＴＥ接続障害またはｅＨＲＰＤ  ｅＡＮ／ＨＳＧＷ（６１６／６２０）ネットワーク障害によって引き起こされ得る障害に遭遇した場合、ＵＥは、ＥＶＤＯ無線セッションのｅＨＲＰＤコンテキストおよびＰＰＰ／ＩＰ／ＱｏＳコンテキストが成功裡に作成されるまで、事前登録を許容するＬＴＥサービングセルにおいて事前登録手順を再試行する。
【００４８】
さらに、ＵＥ６０２は、複数の無線スタック、たとえば、（図４を参照しながら論じたように）ＬＴＥスタックおよびｅＨＲＰＤスタックをサポートするように動作可能であり得る。ＨＲＰＤスタックは、ＥＶＤＯ無線セッション交渉を担当するＨＲＰＤプロトコルレイヤと、ＰＰＰ／ＩＰ／ＱｏＳコンテキスト作成を担当するデータレイヤとを含むことができる。ＵＥがｅＨＲＰＤ直接動作モードで動作していて、ＥＶＤＯセッション交渉中に障害に遭遇した場合、現在のＤＯチャネルは回避されてよく、次の利用可能なチャネルを獲得すると、ＵＥ６０２はセッション交渉を再試行することができる。システム回避機能は現在、ＵＥがＳ１０１インターフェースを使用している際にＨＲＰＤトンネル動作モードで動作しているときには関与しない。さらに、ＵＥ６０２が障害に遭遇した後にＳ１０１インターフェースを介してＰＰＰ／ＩＰ／ＱｏＳコンテキストを確立しようと再試行する際に従い得る具体的ステップは、現在のところ定義されていない。ＵＥ６０２がｅＨＲＰＤ直接モードで動作していて、ＰＰＰ／ＩＰ／ＱｏＳコンテキスト作成中に障害に遭遇した場合、ＵＥ６０２はアプリケーションの要求に応じて手順を再試行することができる。しかしながら、ＵＥ６０２がＳ１０１インターフェースを使用してｅＨＲＰＤトンネルモードで動作している場合、ＤＯデータレイヤとアプリケーションとの間の対話はない。
【００４９】
ｅＨＲＰＤトンネリング動作モードにおいて使用する障害および再試行機構を定義することにより、ｅＨＲＰＤへの実際のハンドオフが起こり得る前にＵＥ６０２がｅＨＲＰＤコンテキストを作成できるように適時に再試行することができる。さらに、ｅＨＲＰＤトンネリング動作モードにおいて使用する定義された障害および再試行機構により、ＵＥ６０２は、ネットワークが過度の要求によって輻輳しないようにスロットリングされた形で再試行を実行することができる。この目的で、ＵＥ６０２は、エラー理由／原因コードを調べることができ、原因コードごとに異なる対応をすることができる。さらに、ｅＨＲＰＤトンネリング動作モードにおいて使用する定義された障害および再試行機構により、ＵＥ６０２は、ｅＨＲＰＤ事前登録のＬＴＥオーバーヘッドを低減することができる。ＬＴＥ情報が入手可能である場合、再試行機構はより効率的に再試行を実行するためにＬＴＥ情報も組み込む。またさらに、ｅＨＲＰＤトンネリング動作モードにおいて使用する定義された障害および再試行機構により、ＵＥ６０２は、ｅＨＲＰＤ無線インターフェースにおいてデータ呼セットアップおよび／またはＰＰＰ／ＩＰセットアップ中に障害に遭遇するとＵＥ６０２が実行する既存のスロットリング機構を考慮することができる。
【００５０】
限定ではなく例として、事前登録中に発生する障害は、次の障害に分類され得る。たとえば、ＬＴＥ接続障害シナリオが表１に記載されている。一態様では、ＬＴＥ接続障害は、セッション交渉中、仮想接続の確立中などに発生することがある。これらのタイプの障害は、障害理由に基づいて、一時的ＬＴＥ接続障害または永続的ＬＴＥ接続障害のいずれかとして扱われ得る。たとえば、表１のインデックス６およびインデックス９は永続的ＬＴＥ接続障害として扱われてよく、一方で表１のインデックス１〜５、７および８は一時的障害として扱われてよい。データ呼のための仮想接続の開始を試行する間に遭遇した障害。ｅＨＲＰＤセッション交渉障害、たとえばセッション交渉タイムアウトまたはネットワーク拒否。ＥＡＰ−ＡＫＡのサービス認証障害。認証障害は、ＵＥ６０２構成に応じてＰＰＰハード障害またはＰＰＰソフト障害として扱われ得る。ＰＰＰ／ＩＰ／ＱｏＳコンテキスト作成中に発生する障害は、ＰＰＰソフト障害として扱われ得る。
【表１】
0005847952.tif 000002
0005847952.tif 000003
【００５１】
事前登録障害が一時的ＬＴＥ接続障害または永続的ＬＴＥ接続障害のいずれかの結果ではないと決定されると、ＵＥは、事前登録が事前登録プロセス内で１つまたは複数のチェックポイントに到達したかどうかを決定することができる。限定ではなく例として、表２は４つのチェックポイントを提供している。
【表２】
0005847952.tif 000004
【００５２】
一態様では、ＵＥ６０２は、再試行された手順ごとにバックオフタイマー、たとえば、ＰｒｅＲｅｇＢａｃｋｏｆｆＴｉｍｅｒ＿ＤＯＳｅｓｓｉｏｎ、ＰｒｅＲｅｇＢａｃｋｏｆｆＴｉｍｅｒ＿ＬＣＰ、ＰｒｅＲｅｇＢａｃｋｏｆｆＴｉｍｅｒ＿ＰＤＮ１、ＰｒｅＲｅｇＢａｃｋｏｆｆＴｉｍｅｒ＿ＱＯＳなどを維持することができる。事前登録バックオフタイマーは、ＵＥ６０２が関連する事前登録手順の実行中に障害に直面したときに開始され得る。一般に、ＵＥは、障害が生じた手順を、関連する事前登録バックオフタイマーが終了するまで再試行し得ない。表２に示されるように、チェックポイント１〜４は、図７に記載の呼フロー図を参照しながら論じられ得る。
【００５３】
図７、図８および図１０は、提示する主題の様々な態様による様々な方法を示す。説明を簡単にするために、方法を一連の動作、ブロック、またはシーケンスステップとして図示および説明するが、いくつかの動作は本明細書で図示および説明する動作とは異なる順序で、かつ／または他の動作と同時に行われ得るので、特許請求される主題は動作の順序によって限定されないことを理解および諒解されたい。たとえば、方法は、状態図など、一連の相互に関連する状態または事象として代替的に表現できることを当業者ならば理解し、諒解するであろう。さらに、特許請求される主題による方法を実施するために、図示のすべての動作が必要とされるとは限らない。さらに、以下および本明細書の全体にわたって開示する方法は、そのような方法をコンピュータに移送および転送することを容易にするために製造物品に記憶することが可能であることを、さらに諒解されたい。本明細書で使用する製造物品という用語は、任意のコンピュータ可読デバイス、キャリア、または媒体からアクセス可能なコンピュータプログラムを包含するものとする。
【００５４】
図７は、アクセスネットワーク７００における例示的なｅＨＲＰＤ事前登録手順を示す呼フロー図である。アクセスネットワーク７００は、ＵＥ７０２と、ｅＮＢと、ＭＭＥ７０６と、発展型アクセスネットワーク／パケット制御機能（ｅＡＮ／ＰＣＦ）７０８と、ｅＨＲＰＤサービングゲートウェイ（ＨＳＧＷ）７１０と、３ＧＰＰ２認証、許可、アカウンティング（ＡＡＡ）サーバ７１２と、ホーム加入者サーバ（ＨＳＳ）ＡＡＡサーバ７１４とを含むことができる。
【００５５】
動作７１６において、ＵＥ７０２は、ＭＭＥ７０６に登録され得る。一態様では、ＵＥ７０２は、ＥＰＳ／Ｅ−ＵＴＲＡＮアクセスで確立された進行中のデータセッションを有し得る。トリガ発生に基づいて、動作７１８においてＵＥ７０２は、ｅＮＢ７０４を通して潜在的ターゲットｅＨＲＰＤアクセスの事前登録手順を開始することを決定することができる。事前登録手順によりＵＥ７０２は、ＭＭＥ７０６に接続されている間、ターゲットｅＨＲＰＤアクセスにおいて休眠セッションを確立し維持することができる。一態様では、ＭＭＥ７０６とｅＡＮ／ｅＰＣＦ７０８との間にＳ１０１シグナリング関係が存在する。動作７２０において、ＵＥ７０２は初期コンテキストのＲＲＣ接続を確立するために、ＲＣＣレイヤを通してＭＭＥ７０６に送られるＮＡＳサービス要求メッセージを開始することができる。一態様では、動作７２０は、ＵＥ７０２がＲＡプリアンブルを送るランダムアクセスチャネルチャネル（ＲＡＣＨ）手順を開始することによってＲＲＣ接続を確立するようにＵＥ７０２が下位レイヤに要求するなどのステップを含むことができる。プリアンブルがｅＮＢ７０４によって検出されると、ｅＮＢ７０４は、ランダムアクセス応答（ＲＡＲ）メッセージで応答する。このメッセージは、アップリンク許可と、タイミングアドバンスと、ＴＣ−ＲＮＴＩとを含む、アップリンクでＵＥ７０２が送信する情報を提供する。ＵＥは、確立原因としての「ＭＯ−データ」とＵＥ競合解決識別情報（UE Contention Resolution Identity）とを含むＲＲＣＣｏｎｎｅｃｔｉｏｎＲｅｑｕｅｓｔメッセージを送る。ｅＮＢ７０４は、ＲＲＣＣｏｎｎｅｃｔｉｏｎＳｅｔｕｐメッセージで応答する。このメッセージが送信済みのＵＥ識別情報を含む場合、ＵＥは、ＲＡ競合が解決されたと考え、ＵＥ７０２は、情報要素（ＩＥ）としてのＮＡＳサービス要求メッセージを含むＲＲＣＣｏｎｎｅｃｔｉｏｎＳｅｔｕｐＣｏｍｐｌｅｔｅメッセージを送る。ｅＮＢ７０４はＲＲＣＣｏｎｎｅｃｔｉｏｎＳｅｔｕｐＣｏｍｐｌｅｔｅメッセージを受信したときに、ＮＡＳサービス要求メッセージを抽出し、Ｓ１初期ＵＥメッセージ（S1 Initial UE Message）を使用してそれをＭＭＥ７０６にトランスポートする。ＭＭＥ７０６は、新しいＥ−ＲＡＢ構成を構築するためにｅＮＢ７０６によって使用される情報を含むＳ１ＡＰ初期コンテキストセットアップ要求（S1AP Initial Context Setup Request）メッセージをｅＮＢ７０４に送る。ｅＮＢ７０８は初期コンテキストセットアップ要求メッセージを受信したときに、無線ベアラを相応にセットアップし、無線ベアラを変更するためにＲＲＣＣｏｎｎｅｃｔｉｏｎＲｅｃｏｎｆｉｇｕｒａｔｉｏｎメッセージをＵＥ７０２に送る。ＵＥ７０２は、ＲＲＣＣｏｎｎｅｃｔｉｏｎＲｅｃｏｎｆｉｇｕｒａｔｉｏｎＣｏｍｐｌｅｔｅメッセージで応答する。ｅＮＢ７０４は、成功裡に確立されているＥ−ＲＡＢを指示するためにＳ１ＡＰ初期コンテキストセットアップ応答（S1AP Initial Context Setup Response）メッセージを送る。
【００５６】
動作７２２において、ＵＥ７０２は、Ｓ１０１トンネルを介してｅＨＲＰＤシステムにおける新しいセッションの確立を開始することができる。そのような態様では、ＵＥはＤＯ  Ｒｅｖ  Ｂパーソナリティを構成することができる。ｅＨＲＰＤシグナリングは、ＵＥ７０２のＬＴＥ−スタック、ｅＮＢ７０４、およびＭＭＥ７０６を介してＵＥ７０２のｅＨＲＰＤ−スタックとｅＡＮ７０８との間で透過的にトンネリングされる。随意の動作７２４において、ＲＡＮレベル認証が必要とされる場合、ＵＥ７０２はＡ１２インターフェースを使用してｅＡＮ７０８との間でＲＡＮレベル認証を実行することができる。一態様では、障害検出中に、動作７２２および７２４が成功裡に完了したとの決定により、チェックポイント完了指示が生じ得る。そのような態様において、成功裡に完了したチェックポイントを指示する（１つまたは複数の）動作の後、任意の事前登録再試行プロセスが開始し得る。さらに、ｅＡＮ／ｅＰＣＦ７０８は、Ａ１１−ＲＲＱ／ＲＲＰメッセージを交換することによって、ＨＳＧＷ７１０とのＡ１０接続を確立することができる。Ａ１１−登録要求メッセージは、Ｓ１０１トンネルを通してアクセスが発生していることの指示を含むことができる。この情報は、ＨＳＧＷ７１０によって動作７２６において、ＰＤＮ−ＧＷとの対話を保留するために使用され得る。一態様では、ＵＥ７０２がＬＴＥネットワークに接続され、初期接続ＰＤＮ（initial-attach PDN）に接続されているときでも、アクティブなアプリケーションがない場合には、ＵＥ７０２  Ｓ１０１事前登録手順はこのポイントにおいて終了したと考えられ得る。（１つまたは複数の）アクティブなアプリケーションがある場合、ＵＥ７０２は動作７２６〜７３２に進むことができる。
【００５７】
動作７２２を参照すると、この呼フローにおけるＳ１０１トンネルを介したｅＨＲＰＤシグナリング転送において下記の手順が使用され得る。ＵＥ７０２は、ＵＬ情報転送メッセージ（ＵＬ  ｅＨＲＰＤメッセージ）を生成する。ＵＬ  ｅＨＲＰＤメッセージは、ＵＬ情報転送におけるパラメータとしてＵＥ７０２からｅＮＢ７０４に転送される。ｅＮＢ７０４はアップリンクＳ１  ＣＤＭＡ２０００トンネリングメッセージ（ＵＬ  ＨＲＰＤメッセージ、セクタＩＤ）をＭＭＥ７０６に送る。セクタＩＤは、ｅＮＢ７０４において静的に構成され、ＨＲＰＤシグナリングに含められ、ｅＡＮ７０８に搬送される。ＭＭＥ７０６は、ｅＨＲＰＤアクセスノードアドレスを選択する。様々なＵＥ７０２に属するＳ１０１シグナリングトランザクションを区別できるようにするために、Ｓ１０１セッションＩＤが使用されて、Ｓ１０１上のそのＵＥ７０２に関係するシグナリングを識別する。ＭＭＥ７０６は、直接転送要求メッセージ（Ｓ１０１セッションＩＤ、セクタＩＤ、ＵＬ  ｅＨＲＰＤメッセージ）をｅＨＲＰＤアクセスノード７０８に送る。ＭＭＥ７０６は、セクタＩＤから正しいｅＨＲＰＤアクセスノード７０８のエンティティおよびアドレスを特定する。セクタＩＤからｅＨＲＰＤアクセスノードアドレスへの明確なマッピングがあり得ることに留意されたい。ｅＡＮ７０８は、直接転送要求メッセージ（Ｓ１０１セッションＩＤ、ＤＬ  ｅＨＲＰＤメッセージ）を使用してシグナリングをＤＬ方向でＭＭＥ７０６に送信する。Ｓ１０１セッションＩＤは、シグナリングを特定のＵＥ７０２に関連付けるために使用される。ＭＭＥ７０６は、ダウンリンクＳ１  ＣＤＭＡ２０００トンネリングメッセージ（ＤＬ  ｅＨＲＰＤメッセージ）を使用してｅＮＢ７０４に情報を送る。ｅＮＢ７０４は、ＵＥ７０２にシグナリングをトランスポートするためにＤＬ情報転送メッセージ（ＤＬ  ｅＨＲＰＤメッセージ）を使用する。一態様では、ＵＥ７０２がｅＨＲＰＤアクセスに緊急セッションをハンドオーバしている場合、ＵＥ７０２はｅＨＲＰＤアクセスに対し、緊急ハンドオーバであることを通知する。ＵＥが限定されたサービス状態にあり、ＩＭＳＩを有しないか、またはそのＩＭＳＩが認証されていない場合、ＩＭＥＩがセッションＩＤとして使用される。ＩＭＳＩが認証されていない場合、ＩＭＳＩは、認証されていないことの指示とともに、Ｓ１０１トンネルでｅＨＲＰＤアクセスに提供されることもある。
【００５８】
動作７２６において、ＵＥ７０２およびＨＳＧＷ７１０は、Ｓ１０１トンネルでＬＣＰ交渉を実行することができる。一態様では、ｅＨＲＰＤアクセスノード７０８が緊急ハンドオーバをサポートするように構成されていない場合、ｅＡＮ７０８は、緊急ハンドオーバを指示するハンドオーバ要求を拒否することができる。
【００５９】
動作７２８ａにおいて、ＵＥ７０２は、ＨＳＧＷ７１０との間でＥＡＰ−ＡＫＡの認証を実行することができる。動作７２８ｂにおいて、ＧＰＰ２  ＡＡＡサーバ７１２は、ｅＨＲＰＤシステムにおけるアクセスのためにＵＥ７０２を認証し許可し得る。そのような態様では、３ＧＰＰ２  ＡＡＡサーバ７１２は、ＨＳＳ７１４に照会し、加入プロファイルとＰＤＮ接続ごとのＡＰＮおよびＰ−ＧＷアドレスペアとをＨＳＧＷ７１０に返信する。一態様では、ＨＳＧＷは、ＨＳＳ／ＡＡＡ７１４から受信された情報を記憶することができる。一態様では、ＵＥ７０２が緊急サービスのためにｅＨＲＰＤアクセスへの緊急ハンドオーバを実行していて、ｅＨＲＰＤアクセスが緊急ハンドオーバをサポートする場合、ｅＨＲＰＤアクセスは、認証手順を省略することができるか、またはｅＨＲＰＤアクセスは、認証が障害に直面してもハンドオーバ手順を続行し得ることを受け入れる。さらに、静的に構成されたＰ−ＧＷがＨＲＰＤアクセスによって、認証されていないＵＥとしてＵＥ７０２のために選択され得る。一態様では、上記で説明したように、別のチェックポイントの完了を指示するために、動作７２６および７２８ａ／７２８ｂの完了が利用され得る。
【００６０】
動作７３０において、ＵＥ７０２は１つまたは複数のＰＤＮ接続を確立／維持するためにＨＳＧＷ７１０とメッセージを交換することができる。一態様では、ＵＥ７０２は、ｅ−ＵＴＲＡＮ内で現在接続されていて、ｅＨＲＰＤ上で維持することを希望する各ＰＤＮ接続のために、ＨＳＧＷ７１０とＶＳＮＣＰメッセージを交換することができる。そのような態様では、ＵＥはＶＳＮＣＰ構成要求メッセージ接続タイプを「ハンドオーバ」にセットし、ＬＴＥを介して取得された（１つまたは複数の）ＩＰアドレスを含むことができる。ＰＤＮタイプがＩＰｖ６またはＩＰｖ４ｖ６である場合、ＵＥ７０２は、ＩＰｖ６  ＨＳＧＷリンクローカルアドレスインターフェースＩＤ（ＩＩＤ）オプションを含むことができ、ＶＳＮＣＰ構成要求メッセージにおいて値をすべてゼロにセットすることができる。ＰＤＮタイプがＩＰｖ４またはＩＰｖ４ｖ６である場合、ＵＥは、ＩＰｖ４デフォルトルータアドレスを含むことができ、ＵＥが現在割り当てられているＩＰｖ４デフォルトルータアドレスを有しない場合には、ＶＳＮＣＰ構成要求メッセージにおいて値を０．０．０．０にセットする。ＵＥは、ｅＨＲＰＤ無線インターフェースでＵＥが直接動作する場合と同じＰＣＯオプションリストを含むことができ、ネットワーク主導型ＱｏＳがサポートされる場合に、ＰＣＯオプションにＢＣＭパラメータを含めることができる。一態様では、ＵＥ７０２は、ｅＨＲＰＤネットワークで有効なＡＰＮのためのＰＤＮ接続を作成することができる。ＨＳＧＷ７１０は、ＩＰｖ６  ＨＳＧＷリンクローカルアドレスＩＩＤオプションを含み、ＨＳＧＷリンクローカルアドレスのインターフェースＩＤに値をセットするＶＳＮＣＰ構成ＡＣＫメッセージで応答することができる。ＨＳＧＷ７１０はまた、ＩＰｖ４デフォルトルータアドレス構成オプションを含むことができ、ＨＳＧＷ７１０において値を事前設定された値にセットすることができる。ＵＥ７０２がＶＳＮＣＰ構成要求メッセージにおけるＰＣＯオプションにネットワーク要求型ベアラ制御（Network Requested Bearer Control）インジケータのＭＳサポートを含めた場合、ＨＳＧＷ７１０は、ＶＳＮＣＰ構成ＡＣＫメッセージにＳｅｌｅｃｔｅｄＢＣＭを含めることができる。ＵＥ７０２はＶＳＮＣＰ構成ＡＣＫメッセージを受信したときに、新しい値が受信されたパラメータを更新し、（ＰＣＯオプションにおけるパラメータを含む）他のパラメータを変更せずに維持することができる。動作中、ＵＥ７０２は、Ｓ１０１でのＩＰｖ６アドレス割当て手順中にＲＳ／ＲＡを省略することができる。ＨＳＧＷ７１０は、アクティブなＩＰフロー用にベアラバインディング更新を実行するためのＱｏＳポリシー規則を取得するために、ＰＣＲＦとゲートウェイ制御セッション確立／ＡＣＫメッセージを交換することができる。ＵＥ７０２がｅＨＲＰＤに到達し、そのときにＨＳＧＷ７０１がＰＤＮ接続を完了させるためにＰＢＵをＰ−ＧＷに送ることができるようになるまで、ＨＳＧＷ７１０はＰ−ＧＷとの対話を保留することに留意されたい。一態様では、上記で説明したように、別のチェックポイントの完了を指示するために、動作７３０の完了が利用され得る。
【００６１】
動作７３２において、ＵＥ７０２はすべての専用ベアラを確立するためにリソース予約手順を開始することができる。ＱｏＳがＵＥ７０２によってｅＨＲＰＤで開始され、アプリケーションが特定のＦｌｏｗＰｒｏｆｉｌｅＩＤを有する場合、ＡＭＳＳはＦｌｏｗＰｒｏｆｉｌｅＩＤに基づいてトンネルでｅＨＲＰＤ  ＱｏＳセットアップ手順を開始する。一態様では、ＩＰｖ４の場合、ＵＥ７０２はＶＳＮＣＰ  Ｃｏｎｆｉｇ−ＡＣＫメッセージにおいて取得されたＩＰｖ４デフォルトルータアドレスを、そのＰＤＮ用のＲＳＶＰメッセージの宛先アドレスとして使用する。別の態様では、ＩＰｖ６の場合、ＵＥ７０２はＩＰｖ６  ＨＳＧＷリンクローカルアドレスを、そのＰＤＮ用のＲＳＶＰメッセージの宛先アドレスとして使用する。（１つまたは複数の）ＱｏＳ予約は、確立された後にオンにされることはない。一態様では、上記で説明したように、別のチェックポイントの完了を指示するために、動作７３２の完了が利用され得る。ＱｏＳ障害が発生した場合、ＵＥがｅＨＲＰＤに移行した後に障害が生じた場合を除いて、ＵＥはアプリケーションに報告しなくてよく、図８を参照しながら論じるように、ＵＥ７０２はＱｏＳ再試行を実行することができる。
【００６２】
このポイントにおいて、ＵＥ７０２は、ｅＨＲＰＤアクセスシステムにおける事前登録を完了させており、ＨＳＳ／ＡＡＡ７１４によって認証されている。
【００６３】
図８は、事前登録手順で障害が検出されるワイヤレス通信の方法のフローチャート８００である。一般に、ＵＥは、障害が生じたＨＲＰＤ事前登録手順を再試行するために、表２に記載のチェックポイントを特定することができる。各チェックポイントは、手順を定義しており、ＵＥは、チェックポイントによって定義される障害が生じた手順を再試行することができる。ブロック８０２において、ＵＥは、データのみ（ＤＯ）セッション事前登録手順を実行する必要があるかどうかを決定する。ブロック８０２において、ＤＯセッション事前登録は必要でないとＵＥが決定した場合、ブロック８０４において、プロセスは８３８に進むことができる。対照的に、ブロック８０２において、ＤＯ事前登録は必要であるとＵＥが決定した場合、ブロック８０６においてＵＥは、セッション交渉に関連する信号送信で障害が発生しているかどうかを決定する。ブロック８０６において、セッション交渉に関連する信号送信で障害が発生しているとＵＥが決定した場合、ブロック８０８においてＵＥは、障害が永続的ＬＴＥ接続障害であるかどうかを決定する。表１のインデックス６および９は、永続的ＬＴＥ接続障害の例を提供しており、インデックス１〜５、７および８は、一時的ＬＴＥ接続障害の例を提供している。ブロック８０８において、ＬＴＥ接続障害が永続的障害であると決定された場合、ブロック８１０においてＵＥは、事前登録が許容されていないと見なすことができ、新しい事前登録許容指示を受信した後に事前登録を再試行することができる。一態様では、プロセスは新しい事前登録許容指示を受信したときに、ＤＯセッション事前登録を再試行し、ブロック８１８に進んで、事前登録が成功したかどうかを決定することができる。
【００６４】
対照的に、ブロック８０８において、障害が永続的ＬＴＥ接続障害ではないと決定された場合、ブロック８１２において、ＵＥは、検出されたセッション交渉障害が禁止時間を指示しているかどうかを決定する。本明細書で使用される場合、禁止時間は、再試行プロセスが発生し得ない持続時間を指し得る。ＵＥは、ＤＯセッション交渉手順（たとえば、表２によるチェックポイント１）のためにセッション交渉バックオフタイマー（たとえば、ＰｒｅＲｅｇＢａｃｋｏｆｆＴｉｍｅｒ＿ＤＯＳｅｓｓｉｏｎ）を維持することができる。ブロック８１２において、検出されたセッション交渉障害が禁止時間を指示しているとＵＥが決定した場合、ブロック８１４においてＵＥは、禁止期間の終了まで待ってから、事前登録プロセスを再試行することを試みる。一態様では、禁止時間が終了し、事前登録が再び試みられてよく、プロセスはブロック８１８に進み、事前登録は成功したかどうかを決定することができる。ブロック８１２において、禁止時間がないとＵＥが決定した場合、ブロック８１６においてＵＥは、ＰｒｅＲｅｇＢａｃｋｏｆｆＴｉｍｅｒ＿ＤＯＳｅｓｓｉｏｎ値によって定義されたバックオフにより、障害が生じた手順を再試行することができる。そのような態様では、ＵＥは、ＰｒｅＲｅｇＢａｃｋｏｆｆＴｉｍｅｒ＿ＤＯＳｅｓｓｉｏｎが終了するまで、セッションの開始／交渉を再試行し得ない。さらに、事前登録が許容されている場合、ブロック８１８においてセッション交渉が成功するまで、ＵＥはセッションの開始／交渉を再試行し続ける。一態様では、ＵＥはセッション交渉において、トンネリングでシグナリングを送った後、障害に直面することがある。そのような態様では、ＵＥがセッションの開始／交渉を試行している際にネットワークによって明確に拒否されたときに、セッション交渉障害は起き得る。セッション交渉障害は、以下が繰り返し発生することを含み得る。ＵＡＴＩ割当て障害（たとえば、５回の障害）、交渉が完了する前にネットワークがセッションを閉じること（たとえば、３回以上）、任意の他の繰り返されるプロトコル交渉障害、たとえば、非準拠シグナリングメッセージフィールド、メッセージ交換タイムアウトなど。
【００６５】
一態様では、ＵＥはカウンタを維持することもある。ブロック８１８において、事前登録が再び障害に直面した場合、ブロック８２０において、ＵＥは、異なるＬＴＥセルによってサービスが現在提供されているかどうかを決定する。ブロック８２０において、新しいＬＴＥセルによってサービスが提供されているとＵＥが決定した場合、ブロック８２４においてＵＥは、バックオフタイマーとカウンタとをゼロにリセットすることができる。対照的に、新しいＬＴＥセルがサービスを提供してはいないとＵＥが決定した場合、ブロック８２２において、ＵＥはカウンタを増分することができる。ブロック８１８が成功裡に完了すると、ＵＥはバックオフタイマーとカウンタとをゼロにリセットすることができる。
【００６６】
ブロック８０６において、検出された障害がセッション交渉に関する信号送信に関連していないとＵＥが決定した場合、ブロック８２６においてＵＥは、障害がセッション交渉障害に関連しているかどうかを決定する。ブロック８２６において、障害がセッション交渉中の障害に起因するとＵＥが決定した場合、ブロック８２８においてＵＥは、障害原因に対応するバックオフタイマーの終了後、事前登録プロセスを再試行することができる。
【００６７】
ブロック８３０において、仮想接続セットアップが成功した場合、ＵＥは障害原因に関連するバックオフタイマー／カウンタをゼロにリセットすることができる。一態様では、再試行がセッション交渉障害に関連する場合、再試行が成功すると、プロセスはブロック８３８に進むことができる。別の態様では、再試行が仮想接続障害に関連する場合、再試行が成功すると、プロセスはブロック８４４に進むことができる。ブロック８３０において、仮想接続セットアップが成功しなかった場合、ブロック８３２においてＵＥは、カラーコードの変化があるかどうかを決定することができる。本明細書の態様において使用されている場合、カラーコードは、サービングネットワークおよび／または基地局を識別することができる。セクタのサブネットが変化したとき、カラーコードは変化する。ＵＥは、Ｓ１０１インターフェースで動作している間、サービングＬＴＥネットワークがブロードキャストするシステム情報ブロックを通してｅＨＲＰＤネットワークのカラーコードを受信する。したがって、カラーコードの変化は、異なるセルがｅＨＲＰＤサービスをサポートしていることを指示し得る。ブロック８３２において、カラーコードの変化が生じているとＵＥが決定した場合、ブロック８３６において、バックオフタイマーおよび関連カウンタがリセットされてよく、ＵＥは仮想接続セットアップを再試行することができる。対照的に、ＵＥがカラーコードの変化を検出していない場合、ブロック８３４においてＵＥは、仮想接続障害タイマーに関連するカウンタを増分することができ、ブロック８２８において、障害原因に関連する増分されたタイマーによって指示された時間の終了に基づき、仮想接続セットアップを再試行することができる。
【００６８】
対照的に、ブロック８２６において、セッション交渉障害がないとＵＥが決定した場合、ブロック８３８においてＵＥは、事前登録を介してＰＰＰ／ＩＰ／ＱｏＳコンテキストを作成する必要があるかどうかを決定する。ブロック８３８において、事前登録を通したＰＰＰ／ＩＰ／ＱｏＳコンテキストの作成の必要はないとＵＥが決定した場合、ブロック８４０において、プロセスはブロック８８８における終了に進むことができる。
【００６９】
ブロック８３８において、事前登録を通してＰＰＰ／ＩＰ／ＱｏＳコンテキストを作成する必要があるとＵＥが決定した場合、ブロック８４２においてＵＥは、検出された障害が仮想接続障害に関連しているかどうかを決定する。ブロック８４２において、検出された障害が仮想接続障害に関連しているとＵＥが決定した場合、上記で説明したように、ブロック８２８においてＵＥは、障害原因に対応するバックオフタイマーの終了後、事前登録プロセスを再試行することができる。たとえば、ＵＥがトンネリングでデータ呼のための仮想接続の開始で障害に直面した場合、ＵＥは、表３で定義するようにバックオフにより仮想接続を立ち上げるよう再試行することができる。
【００７０】
ブロック８４２において、仮想接続の確立中に障害が発生していないとＵＥが決定した場合、ブロック８４４においてＵＥは、ＬＣＰ手順中に障害が発生しているかどうかを決定する。ブロック８４４において、ＬＣＰ手順の一部として障害が発生しているとＵＥが決定した場合、ブロック８４６においてＵＥは、ＤＯサービスを通してカバレージが提供される領域にＵＥが移動しているかどうかを決定することができる。ブロック８４６において、ＤＯを通してサービスが提供されているとＵＥが決定した場合、ブロック８４８においてＵＥは、障害原因に関連するバックオフタイマーおよびカウンタをクリアし、障害が生じた手順の再試行を許容することができる。一態様では、ＵＥがＤＯネットワークを通して直接的にカバレージを受け取っている場所に移動している場合、ＵＥは、ＤＣＴＭスロットリングタイマーが動作していない場合に直ちにＬＣＰ手順を再試行することができる。そのような態様では、ＬＣＰが直接モードで成功した場合、ＰｒｅＲｅｇＢａｃｋｏｆｆＴｉｍｅｒ＿ＬＣＰがクリアされ得る。ＬＣＰがトンネルモードで成功した場合、現在のサブネットにおけるＤＣＴＭスロットリングタイマーがクリアされ得る。ＤＯカバレージによってサポートされる領域にＵＥが移動していない場合、ブロック８５０においてＵＥは、障害原因に関連するタイマー（たとえば、ＬＣＰバックオフタイマーなど）の終了に基づき、障害が生じたベアラ確立手順を再試行することができる。一態様では、ＵＥは、ＬＣＰ交渉および認証手順（表２のチェックポイント２）のためにＰｒｅＲｅｇＢａｃｋｏｆｆＴｉｍｅｒ＿ＬＣＰを維持する。そのような態様では、ＵＥは、様々なＬＴＥセルにわたってＬＣＰバックオフタイマーを維持する（たとえば、事前登録を許容しないＬＴＥセルにＵＥが移動するときに、タイマーは動作し続けることができ、関連バックオフタイマーが終了し、事前登録を許容するセルにＵＥがある場合に、ＵＥは障害が生じたＬＣＰ手順を再試行することができる）。ブロック８５２において、再試行された手順が成功した場合、プロセスはブロック８６０に進むことができる。対照的に、ブロック８５２において、再試行された手順が障害に直面した場合、ブロック８５４においてＵＥは、カラーコードの変化があるかどうかを決定することができる。ブロック８５４において、カラーコードの変化が生じているとＵＥが決定した場合、ブロック８５８において、バックオフタイマーおよび関連カウンタがリセットされてよく、プロセスはブロック８４６に戻ることができる。ＵＥがカラーコードの変化を検出していない場合、ブロック８５６においてＵＥは、障害原因タイマーに関連するカウンタを増分することができ、ブロック８４６に戻ることができる。一態様では、ＥＡＰ−ＡＫＡのサービス認証障害に伴うＨＲＰＤフォールバックが有効化されている場合、トンネリング中にＵＥは、有効化されているフォールバックサービスを使用するのではなく、関連バックオフによりＥＡＰ−ＡＫＡのサービス認証を再試行することができる。
【００７１】
ブロック８４４において、ＬＣＰ手順の一部として障害が発生していないとＵＥが決定した場合、ブロック８６０においてＵＥは、障害がＰＤＮ確立手順に関連しているかどうかを決定する。一般に、手順が並列に発生する場合、再試行された手順は独立して実行され得る。たとえば、各ＰＤＮ接続障害に関する再試行手順は独立して発生し得る。ＵＥは、（事前登録手順が許容される場合に）障害が生じた手順を、成功するまで、またはＬＴＥ上でコンテキストが解放されるまで、再試行することができる。ブロック８６０において、ＰＤＮ確立障害が発生しているとＵＥが決定した場合、ブロック８６２においてＵＥは、ＤＯサービスを通してカバレージが提供される領域にＵＥが移動しているかどうかを決定することができる。ブロック８６２において、ＤＯを通してサービスが提供されてはいないとＵＥが決定した場合、ブロック８６４においてＵＥは、ＰＤＮバックオフタイマーが終了した後、障害が生じた手順を再試行することができる。ブロック８７２において、ＰＤＮ接続が成功していないと決定された場合、ブロック８７４において、ＰＤＮバックオフタイマーが増分され、プロセスはブロック８６２に戻ることができる。対照的に、ブロック８７２において再試行が成功した場合、プロセスはブロック８７６に進むことができる。ＤＯカバレージによってサポートされる領域にＵＥが移動している場合、ブロック８６６においてＵＥは、明確な拒否があるかどうかを決定することができる。ブロック８６６において、明確な拒否があるとＵＥが決定した場合、ＰＤＮ接続要求のバックオフがＬＴＥおよびｅＨＲＰＤにわたって維持されてよく、ブロック８７０においてＵＥは、ＰＤＮ接続障害タイマーの終了に基づき、ＰＤＮ接続プロセスを再試行することを許容し得る。ブロック８６６において、障害が明確なネットワーク拒否以外の理由に起因するとＵＥが決定した場合、ブロック８６８においてＵＥは、ＰＤＮバックオフタイマーの終了を待たずにＰＤＮ接続を再試行することを許容し得る。
【００７２】
ブロック８６０において、ＰＤＮ接続障害がないとＵＥが決定した場合、ブロック８７６においてＵＥは、専用ベアラ確立手順に障害があるかどうかを決定する。ブロック８７６において、専用ベアラの確立に伴う障害があるとＵＥが決定した場合、ブロック８７８においてＵＥは、ＤＯサービスを通してカバレージが提供される領域にＵＥが移動しているかどうかを決定することができる。ブロック８７８において、ＤＯを通してサービスが提供されているとＵＥが決定した場合、ブロック８８０においてＵＥは、障害原因に関連するバックオフタイマーおよびカウンタをクリアし、障害が生じた手順の再試行を許容することができる。ＤＯカバレージによってサポートされる領域にＵＥが移動していない場合、ブロック８８２においてＵＥは、障害原因に関連するタイマー（たとえば、ＱｏＳバックオフタイマーなど）の終了に基づき、障害が生じたベアラ確立手順を再試行することができる。ブロック８８４において、再試行が成功していないとＵＥが決定した場合、ブロック８８６において、障害原因に関連するタイマー（たとえば、ＱｏＳバックオフタイマー）が増分されてよく、プロセスはブロック８７８に戻ることができる。
【００７３】
ブロック８７６において、専用ベアラ確立中に障害がないと決定された場合、および／またはブロック８８４において、再試行手順が成功した場合、ブロック８８８において、事前登録手順が成功裡に完了する。
【００７４】
図９は、ユーザ機器９００の例示的なアーキテクチャを示す。ＵＥ９００は受信機９０２を備え、受信機９０２は、たとえば受信アンテナ（図示せず）から信号を受信し、受信された信号に対して典型的な動作（たとえば、フィルタ処理、増幅、ダウンコンバートなど）を行い、調整された信号をデジタル化してサンプルを得る。受信機９０２は復調器９０４を備えることができ、復調器９０４は、受信されたシンボルを復調し、それらをチャネル推定のためにプロセッサ９０６に供給することができる。プロセッサ９０６は、受信機９０２によって受信された情報を分析し、かつ／もしくは送信機９２０による送信のための情報を生成するのに専用のプロセッサ、ＵＥ９００の１つまたは複数の構成要素を制御するプロセッサ、および／または、受信機９０２によって受信された情報の分析と、送信機９２０による送信のための情報の生成と、ＵＥ９００の１つまたは複数の構成要素の制御とをともに行うプロセッサであってよい。
【００７５】
ＵＥ９００はさらに、メモリ９０８を備えることができ、メモリ９０８は、プロセッサ９０６に動作可能に結合され、送信されるべきデータ、受信されたデータ、利用可能なチャネルに関係する情報、分析された信号および／または干渉強度に関連するデータ、割当てチャネル、電力、レートなどに関係する情報、ならびにチャネルを推定し、そのチャネルを介して通信するための他の適切な情報を記憶することができる。
【００７６】
さらに、プロセッサ９０６は、最適化ハンドオーバプロセスの一部として事前登録手順中に１つまたは複数の障害インスタンスを検出するための手段と、検出された１つまたは複数の障害インスタンスに基づいて１つまたは複数の事前登録再試行プロセスを実行するための手段とを提供することができる。
【００７７】
本明細書で説明するデータストア（たとえば、メモリ９０８）は、揮発性メモリまたは不揮発性メモリのいずれかとすることができ、あるいは揮発性メモリと不揮発性メモリの両方を含むことができることを諒解されたい。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含み得る。揮発性メモリは、外部キャッシュメモリとして動作するランダムアクセスメモリ（ＲＡＭ）を含み得る。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ（登録商標））など、多くの形態が利用可能である。主題のシステムおよび方法のメモリ９０８は、これらおよび任意の他の適切なタイプのメモリを、これらに限定されることなく、備え得る。
【００７８】
ＵＥ９００は、最適化ハンドオーバ手順の一部としてｅＨＲＰＤネットワークへの事前登録の障害を検出すると、再試行支援および／または計時を行うように動作可能であり得る事前登録障害モジュール９３０をさらに含むことができる。一態様では、事前登録障害モジュール９３０は、障害が仮想接続障害に基づくときに事前登録を再試行するのを支援するように動作可能であり得る仮想接続障害モジュール９３１を含み得る。別の態様では、事前登録障害モジュール９３０は、障害がセッション交渉障害に基づくときに事前登録を再試行するのを支援するように動作可能であり得るセッション交渉障害モジュール９３３を含み得る。別の態様では、事前登録障害モジュール９３０は、障害がＬＣＰ手順障害に基づくときに事前登録を再試行するのを支援するように動作可能であり得るＬＣＰ手順障害モジュール９３５を含み得る。一態様では、事前登録障害モジュール９３０は、障害がＰＤＮ接続障害に基づくときに事前登録を再試行するのを支援するように動作可能であり得るＰＤＮ接続障害モジュール９３７を含み得る。またさらに、事前登録手順が並列に生じる場合、再試行された手順も独立して発生し得る。たとえば、各ＰＤＮの再試行手順は独立して実行され得る。一態様では、事前登録障害モジュール９３０は、障害がベアラ確立障害に基づくときに事前登録を再試行するのを支援するように動作可能であり得るベアラ確立障害モジュール９３９を含み得る。様々な事前登録障害モジュール９３０の構成要素の実装形態に関連するさらなる説明は、図７および図８に関して行っている。さらに、モジュール９３１、９３３、９３５、９３７および９３９に関連して使用され得るタイマーの例が表３において提供される。表３を参照すると、異なるバックオフタイマーは異なるバックオフタイマーを使用することができ、タイマーに応じて秒および／または分の単位で測定され得ることに留意されたい。さらに、表３に記載されているように、括弧内に含まれる値（たとえば、｛５，５，５，１５，３０，６０，１２０｝）は、カウンタ値ごとに使用される持続時間を指示している。たとえば、第１のバックオフ時間は５秒続くことがあり、一方で第６のバックオフ時間は６０秒続くことがある。当業者であれば、表３で与えられる値は説明のためのものにすぎず、請求する主題の範囲を限定しないことを理解されよう。
【表３】
0005847952.tif 000005
0005847952.tif 000006
【００７９】
さらに、ＵＥ９００はユーザインターフェース９４０を含み得る。ユーザインターフェース９４０は、ＵＥ９００への入力を生成するための入力機構９４２と、ＵＥ９００のユーザよって消費される情報を生成するための出力機構９４２とを含み得る。たとえば、入力機構９４２は、キーまたはキーボード、マウス、タッチスクリーンディスプレイ、マイクロフォンなどの機構を含むことができる。さらに、たとえば、出力機構９４４は、ディスプレイ、オーディオスピーカー、触覚フィードバック機構、パーソナルエリアネットワーク（ＰＡＮ）トランシーバなどを含み得る。
【００８０】
図１０は、事前登録手順で障害が検出されるワイヤレス通信の方法のフローチャート１０００である。ブロック１００２において、ＵＥは、最適化ハンドオーバプロセスの一部として事前登録手順中に１つまたは複数の障害インスタンスを検出し得る。一態様では、最適化ハンドオーバプロセスは、ＬＴＥ無線接続を介したｅＨＲＰＤネットワークへのＵＥの事前登録を含む。一態様では、ＵＥは永続的ＬＴＥ接続障害を特定し得る。一態様では、事前登録手順は１つまたは複数のチェックポイントを含み得る。一態様では、ＵＥは、障害がセッション交渉に関する信号の送信中に発生しているかどうかを決定することができる。
【００８１】
ブロック１００４において、ＵＥは、検出された１つまたは複数の障害インスタンスに基づいて、１つまたは複数の事前登録再試行プロセスを実行し得る。一態様では、事前登録プロセスの再試行は、障害が検出された上述の１つまたは複数のチェックポイントの後のポイントから事前登録手順の一部分を実行することを含み得る。一態様では、ＵＥは、図８に関して上述したように、検出された障害に関連するタイマーの終了後、事前登録プロセスの少なくとも一部分を再試行することができる。たとえば、一態様では、ＵＥは、障害がセッション交渉に関するシグナリングの送信中に生じていると決定すると、セッション交渉バックオフタイマーの終了後、事前登録プロセスを再試行することができる。別の例示的な態様では、ＵＥは、セッション交渉バックオフタイマーの終了後、事前登録プロセスを再試行することができる。
【００８２】
一態様では、図８および／または図１０において説明した本方法は、図９および図１１に関して説明されるような、１つまたは複数のモジュールおよび／または装置によって実施され得る。
【００８３】
図１１は、例示的な装置１００の機能を示す概念的なブロック図１１００である。装置１００は、受信モジュール１１０６からの１つまたは複数の事前登録障害通知１１０８の受信に基づいて事前登録手順の障害を検出するモジュール１１０２を含む。装置１００は、検出された障害に基づいて再試行機構を決定し実行する事前登録再試行機構パフォーマンスモジュール１１０４をさらに含む。装置１００は、上述のフローチャート中のステップの各々を実行する追加のモジュールを含み得る。そのため、上述のフローチャート中の各ステップは、１つのモジュールによって実行され得、装置１００は、それらのモジュールのうちの１つまたは複数を含み得る。
【００８４】
一構成では、ワイヤレス通信のための装置１００に関連するモジュール（１１０２、１１０４、１１０６）のうちの１つまたは複数は、最適化ハンドオーバプロセスの一部として事前登録手順中に１つまたは複数の障害インスタンスを検出するための手段と、検出された１つまたは複数の障害インスタンスに基づいて１つまたは複数の事前登録再試行プロセスを実行するための手段とを提供する。一態様では、事前登録再試行機構パフォーマンスモジュール１１０４は、永続的ＬＴＥ接続障害を検出すると、新しい事前登録通知を受信したときに事前登録を再試行するための手段を含むことができる。そのような態様では、事前登録検出モジュール１１０２は、ＵＥがＬＴＥネットワークから切り離されていることを検出するための手段、またはＵＥがＬＴＥサービスの範囲外にあることを検出するための手段を含むことができる。一態様では、事前登録検出モジュール１１０２は、障害がセッション交渉の一部であるかどうかを検出するための手段を含むことができる。そのような態様では、事前登録再試行機構パフォーマンスモジュール１１０４は、障害がセッション交渉に関するシグナリングの送信中に生じていると決定すると、セッション交渉バックオフタイマーの終了後、事前登録プロセスを再試行するための手段を含むことができる。別のそのような態様では、事前登録再試行機構パフォーマンスモジュール１１０４は、セッション交渉バックオフタイマーの終了後、事前登録プロセスを再試行するための手段を含むことができる。禁止時間は、障害の検出に伴って指示されたときに、セッション交渉バックオフタイマー値に使用され得る。別の構成では、装置１００は、異なるＬＴＥセルにＵＥが移動していると決定するための手段と、セッション交渉バックオフタイマーをリセットするための手段と、セッション交渉タイマーに関連するカウンタをリセットするための手段と、事前登録手順を再試行するための手段とを含む。一態様では、事前登録再試行機構パフォーマンスモジュール１１０４は、検出された１つまたは複数の障害インスタンスに関連するバックオフタイマーの終了に基づき、事前登録手順を再試行するための手段を含むことができる。そのような態様では、１つまたは複数の障害インスタンスは、セッション交渉障害、データ呼を立ち上げるときの仮想接続障害、またはリンク制御プロトコル（ＬＣＰ）障害のうちの少なくとも１つを含む。別の構成では、装置１００は、カラーコードの変化をＵＥが検出していると決定するための手段と、検出された１つまたは複数の障害インスタンスに関連する再試行バックオフタイマーをリセットするための手段と、再試行バックオフタイマーに関連するカウンタをリセットするための手段と、事前登録手順を再試行するための手段とを含むことができる。一態様では、事前登録検出モジュール１１０２は、障害が明確なネットワーク拒否に起因するかどうか、またＵＥがｅＨＲＰＤネットワークにハンドオーバしているかどうかを決定するための手段を含むことができる。そのような態様では、事前登録再試行機構パフォーマンスモジュール１１０４は、ＰＤＮ接続バックオフタイマーの終了に基づき、またＵＥがｅＨＲＰＤサポート対象ネットワークにハンドオーバしていないと決定すると、ＰＤＮ接続確立手順を再試行するための手段、またはＵＥがｅＨＲＰＤネットワークにハンドオーバしていると決定すると、また障害が明確なネットワーク拒否に起因すると決定すると、ＰＤＮ接続バックオフタイマーの終了に基づき、ＰＤＮ接続確立手順を再試行するための手段、またはＵＥがｅＨＲＰＤネットワークにハンドオーバしていると決定すると、また障害が明確なネットワーク拒否に起因しないと決定すると、ＰＤＮ接続バックオフタイマーの終了前にＰＤＮ接続確立手順を再試行するための手段を含み得る。一態様では、事前登録検出モジュール１１０２は、ＵＥがｅＨＲＰＤネットワークにハンドオーバしているかどうかを決定するための手段を含むことができる。そのような態様では、事前登録再試行機構パフォーマンスモジュール１１０４は、ＵＥがｅＨＲＰＤネットワークにハンドオーバしていないと決定すると、サービス品質（ＱｏＳ）バックオフタイマーの終了に基づき、専用ベアラ確立手順を再試行するための手段、またはＵＥがｅＨＲＰＤネットワークにハンドオーバしていると決定すると、ＱｏＳバックオフタイマーの終了前に専用ベアラ確立を再試行するための手段を含むことができる。一態様では、事前登録再試行機構パフォーマンスモジュール１１０４は、障害が検出された１つまたは複数のチェックポイントの後のポイントから事前登録手順の一部分を実行するための手段を含み得る。
【００８５】
上述の手段は、上述の手段によって具陳される機能を実行するように構成された、装置１００（図９参照）および／または処理システム１１４の上述のモジュールのうちの１つまたは複数であり得る。上記で説明したように、処理システム１１４は、ＴＸプロセッサ５６８と、ＲＸプロセッサ５５６と、コントローラ／プロセッサ５５９とを含む。したがって、一構成では、上述の手段は、上述の手段によって具陳された機能を実行するように構成されたＴＸプロセッサ５６８と、ＲＸプロセッサ５５６と、コントローラ／プロセッサ５５９とであり得る。
【００８６】
出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、限定はしないが、プロセッサ上で実行されるプロセス、プロセッサ、オブジェクト、実行ファイル、実行スレッド、プログラム、および／またはコンピュータであり得る。例として、コンピューティングデバイス上で実行されるアプリケーションと、そのコンピューティングデバイスの両方が構成要素であり得る。１つまたは複数の構成要素がプロセスおよび／または実行スレッド内に存在することができ、１つの構成要素は１つのコンピュータ上に配置され得、かつ／または２つ以上のコンピュータ間に分散され得る。さらに、これらの構成要素は、様々なデータ構造を記憶している様々なコンピュータ可読媒体から実行することができる。これらの構成要素は、信号を介して、ローカルシステム、分散システム内の別の構成要素と相互作用し、かつ／あるいはインターネットなどのネットワーク上で他のシステムと相互作用する１つの構成要素からのデータのような、１つまたは複数のデータパケットを有する信号に従うことなどによって、ローカルプロセスおよび／またはリモートプロセスを介して通信し得る。
【００８７】
さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関する様々な態様について説明する。基地局は、（１つまたは複数の）ワイヤレス端末と通信するために利用でき、アクセスポイント、ノードＢ、または何らかの他の用語で呼ばれることもある。
【００８８】
さらに、「または」という用語は、排他的な「または」ではなく、包括的な「または」を意味するものとする。すなわち、別段に規定されていない限り、または文脈から明らかでない限り、「ＸはＡまたはＢを使用する」という句は、自然包括的並べ替えのいずれかを意味するものとする。つまり、「ＸはＡまたはＢを使用する」という句は、以下の場合、すなわち、ＸがＡを使用する場合、ＸがＢを使用する場合、またはＸがＡとＢの両方を使用する場合のうちのいずれかによって満足される。その上、本出願と添付の特許請求の範囲とで使用されるとき、冠詞「ａ」と「ａｎ」とは、別段に規定されていない限り、または単数形を対象とすべきであると文脈から明らかでない限り、通常、「１つまたは複数」を意味すると解釈されるべきである。
【００８９】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、ユニバーサル地上波無線アクセス（ＵＴＲＡ）、ｃｄｍａ２０００などの無線技術を実装することができる。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、モバイル通信用グローバルシステム（ＧＳＭ）などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡは、ユニバーサルモバイル電気通信システム（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「第３世代パートナーシッププロジェクト」（３ＧＰＰ）と称する団体からの文書に記載されている。さらに、ｃｄｍａ２０００およびＵＭＢは、「第３世代パートナーシッププロジェクト２」（３ＧＰＰ２）と称する団体からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含むことができる。
【００９０】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または特許請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用され得る。
【００９１】
「例示的」という単語は、本明細書では「例、事例、または例示の働きをすること」を意味するために使用する。「例示的」として本明細書で説明するいかなる態様または設計も、必ずしも他の態様または設計よりも好ましいまたは有利なものと解釈すべきではない。さらに、本明細書で使用する、項目のリスト「のうちの少なくとも１つ」を指す句は、単一のメンバーを含む、それらのアイテムの任意の組合せを指す。一例として、「ａ、ｂまたはｃのうちの少なくとも１つ」は、ａ、ｂ、ｃ、ａ−ｂ、ａ−ｃ、ｂ−ｃおよびａ−ｂ−ｃをカバーするものである。
【００９２】
本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
以下に、本願の当初の特許請求の範囲に記載された発明を付記する。
［１］
ワイヤレス通信の方法であって、
ユーザ機器（ＵＥ）によって、最適化ハンドオーバプロセスの一部として事前登録手順中に１つまたは複数の障害インスタンスを検出することと、
前記ＵＥによって、前記検出された１つまたは複数の障害インスタンスに基づいて、１つまたは複数の事前登録再試行プロセスを実行することとを備える方法。
［２］
前記最適化ハンドオーバプロセスは、ＬＴＥ無線接続を介した発展型高速パケットデータ（ｅＨＲＰＤ）ネットワークへの前記ＵＥの事前登録を備える、［１］に記載の方法。［３］
前記検出することは、永続的ＬＴＥ接続障害を特定することをさらに備え、
１つまたは複数の事前登録再試行プロセスを前記実行することは、新しい事前登録通知を受信したときに事前登録を再試行することを備える、［１］に記載の方法。
［４］
前記永続的ＬＴＥ障害を特定することは、
前記ＵＥが前記ＬＴＥネットワークから切り離されていることを検出すること、または
前記ＵＥがＬＴＥサービスの範囲外にあることを検出することのうちの少なくとも１つを備える、［３］に記載の方法。
［５］
前記１つまたは複数の障害インスタンスのうちの１つのインスタンスは、一時的ＬＴＥ接続障害を備え、
前記検出することは、前記障害がセッション交渉に関する信号の送信中に発生しているかどうかを決定することをさらに備える、［１］に記載の方法。
［６］
前記実行することは、前記障害がセッション交渉に関するシグナリングの送信中に生じていると決定すると、セッション交渉バックオフタイマーの終了後、前記事前登録プロセスを再試行することをさらに備える、［５］に記載の方法。
［７］
異なるＬＴＥセルに前記ＵＥが移動していると決定することと、
前記セッション交渉バックオフタイマーをリセットすることと、
前記セッション交渉バックオフタイマーに関連するカウンタをリセットすることと、
前記事前登録手順を再試行することとをさらに備える、［６］に記載の方法。
［８］
前記実行することは、前記セッション交渉バックオフタイマーの終了後、前記事前登録プロセスを再試行することをさらに備え、禁止時間が、前記障害の前記検出に伴って指示されているときに前記セッション交渉バックオフタイマー値に使用される、［５］に記載の方法。
［９］
前記１つまたは複数の障害インスタンスは、セッション交渉障害、データ呼を立ち上げるときの仮想接続障害、またはリンク制御プロトコル（ＬＣＰ）障害のうちの少なくとも１つを備え、
前記実行することは、前記検出された１つまたは複数の障害インスタンスに関連するバックオフタイマーの終了に基づき、前記事前登録手順を再試行することを備える、［１］に記載の方法。
［１０］
ＵＥがカラーコードの変化を検出していると決定することと、
前記検出された１つまたは複数の障害インスタンスに関連する再試行バックオフタイマーをリセットすることと、
前記再試行バックオフタイマーに関連するカウンタをリセットすることと、
前記事前登録手順を再試行することとをさらに備える、［９］に記載の方法。
［１１］
前記１つまたは複数の障害インスタンスのうちの１つのインスタンスは、パケットデータネットワーク（ＰＤＮ）接続障害を備え、
前記検出することは、前記障害が明確なネットワーク拒否に起因するかどうか、また前記ＵＥがｅＨＲＰＤネットワークにハンドオーバしているかどうかを決定することをさらに備え、
前記実行することは、ＰＤＮ接続バックオフタイマーの終了に基づき、また前記ＵＥが前記ｅＨＲＰＤサポート対象ネットワークにハンドオーバしていないと決定すると、ＰＤＮ接続確立手順を再試行することをさらに備え、または
前記実行することは、前記ＵＥが前記ｅＨＲＰＤネットワークにハンドオーバしていると前記決定すると、また前記障害が前記明確なネットワーク拒否に起因すると決定すると、前記ＰＤＮ接続バックオフタイマーの終了に基づき、前記ＰＤＮ接続確立手順を再試行することを許容することをさらに備え、または
前記実行することは、前記ＵＥが前記ｅＨＲＰＤネットワークにハンドオーバしていると前記決定すると、また前記障害が前記明確なネットワーク拒否に起因していないと決定すると、前記ＰＤＮ接続バックオフタイマーの前記終了前に前記ＰＤＮ接続確立手順を再試行することを許容することをさらに備える、［１］に記載の方法。
［１２］
前記１つまたは複数の障害インスタンスのうちの１つのインスタンスは、専用ベアラ確立障害を備え、
前記検出することは、前記ＵＥがｅＨＲＰＤネットワークにハンドオーバしているかどうかを決定することをさらに備え、
前記実行することは、前記ＵＥが前記ｅＨＲＰＤネットワークにハンドオーバしていないと決定すると、サーバ品質（ＱｏＳ）バックオフタイマーの終了に基づき、専用ベアラ確立手順を再試行することをさらに備え、または
前記実行することは、前記ＵＥが前記ｅＨＲＰＤネットワークにハンドオーバしていると前記決定すると、前記ＱｏＳバックオフタイマーの前記終了前に前記専用ベアラ確立を再試行することを許容することをさらに備える、［１］に記載の方法。
［１３］
前記事前登録手順は１つまたは複数のチェックポイントを含み、
前記実行することは、前記障害が検出された前記１つまたは複数のチェックポイントの後のポイントから前記事前登録手順の一部分を実行することをさらに備える、［１］に記載の方法。
［１４］
コンピュータ可読媒体を備え、前記コンピュータ可読媒体は、
ユーザ機器（ＵＥ）によって、最適化ハンドオーバプロセスの一部として事前登録手順中に１つまたは複数の障害インスタンスを検出することと、
前記ＵＥによって、前記検出された１つまたは複数の障害インスタンスに基づいて、１つまたは複数の事前登録再試行プロセスを実行することとを行うためのコードを備える、コンピュータプログラム製品。
［１５］
前記最適化ハンドオーバプロセスは、ＬＴＥ無線接続を介した発展型高速パケットデータ（ｅＨＲＰＤ）ネットワークへの前記ＵＥの事前登録を備える、［１４］に記載のコンピュータプログラム製品。
［１６］
前記コンピュータ可読媒体は、
永続的ＬＴＥ接続障害を特定することと、
新しい事前登録通知を受信したときに事前登録を再試行することとを行うためのコードをさらに備える、［１４］に記載のコンピュータプログラム製品。
［１７］
前記コンピュータ可読媒体は、
前記ＵＥが前記ＬＴＥネットワークから切り離されていることを検出すること、または
前記ＵＥがＬＴＥサービスの範囲外にあることを検出することのうちの少なくとも１つを行うためのコードをさらに備える、［１６］に記載のコンピュータプログラム製品。［１８］
前記１つまたは複数の障害インスタンスのうちの１つのインスタンスは、一時的ＬＴＥ接続障害を備え、
前記コンピュータ可読媒体は、前記障害がセッション交渉に関する信号の送信中に発生しているかどうかを決定するためのコードをさらに備える、［１４］に記載のコンピュータプログラム製品。
［１９］
前記コンピュータ可読媒体は、前記障害がセッション交渉に関するシグナリングの送信中に生じていると決定すると、セッション交渉バックオフタイマーの終了後、前記事前登録プロセスを再試行するためのコードをさらに備える、［１８］に記載のコンピュータプログラム製品。
［２０］
前記コンピュータ可読媒体は、
異なるＬＴＥセルに前記ＵＥが移動していると決定することと、
前記セッション交渉バックオフタイマーをリセットすることと、
前記セッション交渉バックオフタイマーに関連するカウンタをリセットすることと、
前記事前登録手順を再試行することとを行うためのコードをさらに備える、［１９］に記載のコンピュータプログラム製品。
［２１］
前記コンピュータ可読媒体は、前記セッション交渉バックオフタイマーの終了後、前記事前登録プロセスを再試行するためのコードをさらに備え、禁止時間が、前記障害の前記検出に伴って指示されているときに前記セッション交渉バックオフタイマー値に使用される、［１８］に記載のコンピュータプログラム製品。
［２２］
前記１つまたは複数の障害インスタンスは、セッション交渉障害、データ呼を立ち上げるときの仮想接続障害、またはリンク制御プロトコル（ＬＣＰ）障害のうちの少なくとも１つを備え、
前記コンピュータ可読媒体は、前記検出された１つまたは複数の障害インスタンスに関連するバックオフタイマーの終了に基づき、前記事前登録手順を再試行するためのコードをさらに備える、［１４］に記載のコンピュータプログラム製品。
［２３］
前記コンピュータ可読媒体は、
ＵＥがカラーコードのコードを検出していると決定することと、
前記検出された１つまたは複数の障害インスタンスに関連する再試行バックオフタイマーをリセットすることと、
前記再試行バックオフタイマーに関連するカウンタをリセットすることと、
前記事前登録手順を再試行することとを行うためのコードをさらに備える、［２２］に記載のコンピュータプログラム製品。
［２４］
前記１つまたは複数の障害インスタンスのうちの１つのインスタンスは、パケットデータネットワーク（ＰＤＮ）接続障害を備え、
前記コンピュータ可読媒体は、
前記障害が明確なネットワーク拒否に起因するかどうか、また前記ＵＥがｅＨＲＰＤネットワークにハンドオーバしているかどうかを決定すること、および
ＰＤＮ接続バックオフタイマーの終了に基づき、また前記ＵＥが前記ｅＨＲＰＤサポート対象ネットワークにハンドオーバしていないと決定すると、ＰＤＮ接続確立手順を再試行すること、または
前記ＵＥが前記ｅＨＲＰＤネットワークにハンドオーバしていると前記決定すると、また前記障害が前記明確なネットワーク拒否に起因すると決定すると、前記ＰＤＮ接続バックオフタイマーの終了に基づき、前記ＰＤＮ接続確立手順を再試行することを許容すること、または
前記ＵＥが前記ｅＨＲＰＤネットワークにハンドオーバしていると前記決定すると、また前記障害が前記明確なネットワーク拒否に起因していないと決定すると、前記ＰＤＮ接続バックオフタイマーの前記終了前に前記ＰＤＮ接続確立手順を再試行することを許容することを行うためのコードをさらに備える、［１４］に記載のコンピュータプログラム製品。
［２５］
前記１つまたは複数の障害インスタンスのうちの１つのインスタンスは、専用ベアラ確立障害を備え、
前記コンピュータ可読媒体は、
前記ＵＥがｅＨＲＰＤネットワークにハンドオーバしているかどうかを決定すること、および
前記ＵＥが前記ｅＨＲＰＤネットワークにハンドオーバしていないと決定すると、サーバ品質（ＱｏＳ）バックオフタイマーの終了に基づき、専用ベアラ確立手順を再試行すること、または
前記ＵＥが前記ｅＨＲＰＤネットワークにハンドオーバしていると前記決定すると、前記ＱｏＳバックオフタイマーの前記終了前に前記専用ベアラ確立を再試行することを許容することを行うためのコードをさらに備える、［１４］に記載のコンピュータプログラム製品。
［２６］
前記事前登録手順は１つまたは複数のチェックポイントを含み、
前記コンピュータ可読媒体は、前記障害が検出された前記１つまたは複数のチェックポイントの後のポイントから前記事前登録手順の一部分を実行するためのコードをさらに備える、［１４］に記載のコンピュータプログラム製品。
［２７］
ワイヤレス通信のための装置であって、
ユーザ機器（ＵＥ）によって、最適化ハンドオーバプロセスの一部として事前登録手順中に１つまたは複数の障害インスタンスを検出するための手段と、
前記ＵＥによって、前記検出された１つまたは複数の障害インスタンスに基づいて、１つまたは複数の事前登録再試行プロセスを実行するための手段とを備える装置。
［２８］
前記最適化ハンドオーバプロセスは、ＬＴＥ無線接続を介した発展型高速パケットデータ（ｅＨＲＰＤ）ネットワークへの前記ＵＥの事前登録を備える、［２７］に記載の装置。
［２９］
検出するための前記手段は、永続的ＬＴＥ接続障害を特定するための手段をさらに備え、
１つまたは複数の事前登録再試行プロセスを実行するための前記手段は、新しい事前登録通知を受信したときに事前登録を再試行するための手段を備える、［２７］に記載の装置。
［３０］
前記永続的ＬＴＥ障害を特定するための手段は、
前記ＵＥが前記ＬＴＥネットワークから切り離されていることを検出するための手段、または
前記ＵＥがＬＴＥサービスの範囲外にあることを検出するための手段のうちの少なくとも１つを備える、［２９］に記載の装置。
［３１］
前記１つまたは複数の障害インスタンスのうちの１つのインスタンスは、一時的ＬＴＥ接続障害を備え、
検出するための前記手段は、前記障害がセッション交渉に関する信号の送信中に発生しているかどうかを決定するための手段をさらに備える、［２７］に記載の装置。
［３２］
実行するための前記手段は、前記障害がセッション交渉に関するシグナリングの送信中に生じていると決定すると、セッション交渉バックオフタイマーの終了後、前記事前登録プロセスを再試行するための手段をさらに備える、［３１］に記載の装置。
［３３］
異なるＬＴＥセルに前記ＵＥが移動していると決定するための手段と、
前記セッション交渉バックオフタイマーをリセットするための手段と、
前記セッション交渉バックオフタイマーに関連するカウンタをリセットするための手段と、
前記事前登録手順を再試行するための手段とをさらに備える、［３２］に記載の装置。
［３４］
実行するための前記手段は、前記セッション交渉バックオフタイマーの終了後、前記事前登録プロセスを再試行するための手段をさらに備え、禁止時間が、前記障害の前記検出に伴って指示されているときに前記セッション交渉バックオフタイマー値に使用される、［３１］に記載の装置。
［３５］
前記１つまたは複数の障害インスタンスは、セッション交渉障害、データ呼を立ち上げるときの仮想接続障害、またはリンク制御プロトコル（ＬＣＰ）障害のうちの少なくとも１つを備え、
実行するための前記手段は、前記検出された１つまたは複数の障害インスタンスに関連するバックオフタイマーの終了に基づき、前記事前登録手順を再試行するための手段を備える、［２７］に記載の装置。
［３６］
前記ＵＥがカラーコードの変化を検出していると決定するための手段と、
前記検出された１つまたは複数の障害インスタンスに関連する再試行バックオフタイマーをリセットするための手段と、
前記再試行バックオフタイマーに関連するカウンタをリセットするための手段と、
前記事前登録手順を再試行するための手段とをさらに備える、［３５］に記載の装置。
［３７］
前記１つまたは複数の障害インスタンスのうちの１つのインスタンスは、パケットデータネットワーク（ＰＤＮ）接続障害を備え、
検出するための前記手段は、前記障害が明確なネットワーク拒否に起因するかどうか、また前記ＵＥがｅＨＲＰＤネットワークにハンドオーバしているかどうかを決定するための手段をさらに備え、
実行するための前記手段は、ＰＤＮ接続バックオフタイマーの終了に基づき、また前記ＵＥが前記ｅＨＲＰＤサポート対象ネットワークにハンドオーバしていないと決定すると、ＰＤＮ接続確立手順を再試行するための手段をさらに備え、または
実行するための前記手段は、前記ＵＥが前記ｅＨＲＰＤネットワークにハンドオーバしていると前記決定すると、また前記障害が前記明確なネットワーク拒否に起因すると決定すると、前記ＰＤＮ接続バックオフタイマーの終了に基づき、前記ＰＤＮ接続確立手順を再試行することを許容するための手段をさらに備え、または
実行するための前記手段は、前記ＵＥが前記ｅＨＲＰＤネットワークにハンドオーバしていると前記決定すると、また前記障害が前記明確なネットワーク拒否に起因していないと決定すると、前記ＰＤＮ接続バックオフタイマーの前記終了前に前記ＰＤＮ接続確立手順を再試行することを許容するための手段をさらに備える、［２７］に記載の装置。
［３８］
前記１つまたは複数の障害インスタンスのうちの１つのインスタンスは、専用ベアラ確立障害を備え、
検出するための前記手段は、前記ＵＥがｅＨＲＰＤネットワークにハンドオーバしているかどうかを決定するための手段をさらに備え、
実行するための前記手段は、前記ＵＥが前記ｅＨＲＰＤネットワークにハンドオーバしていないと決定すると、サーバ品質（ＱｏＳ）バックオフタイマーの終了に基づき、専用ベアラ確立手順を再試行するための手段をさらに備え、または
実行するための前記手段は、前記ＵＥが前記ｅＨＲＰＤネットワークにハンドオーバしていると前記決定すると、前記ＱｏＳバックオフタイマーの前記終了前に前記専用ベアラ確立を再試行することを許容するための手段をさらに備える、［２７］に記載の装置。［３９］
前記事前登録手順は１つまたは複数のチェックポイントを含み、
実行するための前記手段は、前記障害が検出された前記１つまたは複数のチェックポイントの後のポイントから前記事前登録手順の一部分を実行するための手段をさらに備える、［２７］に記載の装置。
［４０］
通信のための装置であって、
プロセッサと、
事前登録障害モジュールとを備え、前記事前登録障害モジュールは、前記プロセッサと通信し、
最適化ハンドオーバプロセスの一部として事前登録手順中に１つまたは複数の障害インスタンスを検出することと、
前記検出された１つまたは複数の障害インスタンスに基づいて、１つまたは複数の事前登録再試行プロセスを実行することとを行うように構成される、装置。
［４１］
前記最適化ハンドオーバプロセスは、ＬＴＥ無線接続を介した発展型高速パケットデータ（ｅＨＲＰＤ）ネットワークへの前記ＵＥの事前登録を備える、［４０］に記載の装置。
［４２］
前記事前登録障害モジュールは、
永続的ＬＴＥ接続障害を特定することと、
新しい事前登録通知を受信したときに事前登録を再試行することとを行うようにさらに構成される、［４０］に記載の装置。
［４３］
前記事前登録障害モジュールは、
前記ＵＥが前記ＬＴＥネットワークから切り離されていること、または
前記ＵＥがＬＴＥサービスの範囲外にあることのうちの少なくとも１つを検出するようにさらに構成される、［４２］に記載の装置。
［４４］
前記１つまたは複数の障害インスタンスのうちの１つのインスタンスは、一時的ＬＴＥ接続障害を備え、
前記事前登録障害モジュールは、前記障害がセッション交渉に関する信号の送信中に発生しているかどうかを決定するようにさらに構成される、［４０］に記載の装置。
［４５］
前記事前登録障害モジュールは、前記障害がセッション交渉に関するシグナリングの送信中に生じていると決定すると、セッション交渉バックオフタイマーの終了後、前記事前登録プロセスを再試行するようにさらに構成される、［４４］に記載の装置。
［４６］
前記事前登録障害モジュールは、
異なるＬＴＥセルに前記ＵＥが移動していると決定することと、
前記セッション交渉バックオフタイマーをリセットすることと、
前記セッション交渉バックオフタイマーに関連するカウンタをリセットすることと、
前記事前登録手順を再試行することとを行うようにさらに構成される、［４５］に記載の装置。
［４７］
前記事前登録障害モジュールは、前記セッション交渉バックオフタイマーの終了後、前記事前登録プロセスを再試行するようにさらに構成され、禁止時間が、前記障害の前記検出に伴って指示されているときに前記セッション交渉バックオフタイマー値に使用される、［４４］に記載の装置。
［４８］
前記１つまたは複数の障害インスタンスは、セッション交渉障害、データ呼を立ち上げるときの仮想接続障害、またはリンク制御プロトコル（ＬＣＰ）障害のうちの少なくとも１つを備え、
前記事前登録障害モジュールは、前記検出された１つまたは複数の障害インスタンスに関連するバックオフタイマーの終了に基づき、前記事前登録手順を再試行するようにさらに構成される、［４０］に記載の装置。
［４９］
前記事前登録障害モジュールは、
ＵＥがカラーコードの変化を検出していると決定することと、
前記検出された１つまたは複数の障害インスタンスに関連する再試行バックオフタイマーをリセットすることと、
前記再試行バックオフタイマーに関連するカウンタをリセットすることと、
前記事前登録手順を再試行することとを行うようにさらに構成される、［２２］に記載の装置。
［５０］
前記１つまたは複数の障害インスタンスのうちの１つのインスタンスは、パケットデータネットワーク（ＰＤＮ）接続障害を備え、
前記事前登録障害モジュールは、
前記障害が明確なネットワーク拒否に起因するかどうか、また前記ＵＥがｅＨＲＰＤネットワークにハンドオーバしているかどうかを決定すること、および
ＰＤＮ接続バックオフタイマーの終了に基づき、また前記ＵＥが前記ｅＨＲＰＤサポート対象ネットワークにハンドオーバしていないと決定すると、ＰＤＮ接続確立手順を再試行すること、または
前記ＵＥが前記ｅＨＲＰＤネットワークにハンドオーバしていると前記決定すると、また前記障害が前記明確なネットワーク拒否に起因すると決定すると、前記ＰＤＮ接続バックオフタイマーの終了に基づき、前記ＰＤＮ接続確立手順を再試行することを許容すること、または
前記ＵＥが前記ｅＨＲＰＤネットワークにハンドオーバしていると前記決定すると、また前記障害が前記明確なネットワーク拒否に起因していないと決定すると、前記ＰＤＮ接続バックオフタイマーの前記終了前に前記ＰＤＮ接続確立手順を再試行することを許容することを行うようにさらに構成される、［４０］に記載の装置。
［５１］
前記１つまたは複数の障害インスタンスのうちの１つのインスタンスは、専用ベアラ確立障害を備え、
前記事前登録障害モジュールは、
前記ＵＥがｅＨＲＰＤネットワークにハンドオーバしているかどうかを決定すること、および
前記ＵＥが前記ｅＨＲＰＤネットワークにハンドオーバしていないと決定すると、サーバ品質（ＱｏＳ）バックオフタイマーの終了に基づき、専用ベアラ確立手順を再試行すること、または
前記ＵＥが前記ｅＨＲＰＤネットワークにハンドオーバしていると前記決定すると、前記ＱｏＳバックオフタイマーの前記終了前に前記専用ベアラ確立を再試行することを許容することを行うようにさらに構成される、［４０］に記載の装置。
［５２］
前記事前登録手順は１つまたは複数のチェックポイントを含み、
前記事前登録障害モジュールは、前記障害が検出された前記１つまたは複数のチェックポイントの後のポイントから前記事前登録手順の一部分を実行するようにさらに構成される、［４０］に記載の装置。
【図１】
0005847952.tif 000007
【図２】
0005847952.tif 000008
【図３】
0005847952.tif 000009
【図４】
0005847952.tif 000010
【図５】
0005847952.tif 000011
【図６】
0005847952.tif 000012
【図７】
0005847952.tif 000013
【図８】
0005847952.tif 000014
【図９】
0005847952.tif 000015
【図１０】
0005847952.tif 000016
【図１１】
0005847952.tif 000017